(57)【要約】【課題】  同じカラオケ店舗内の別のカラオケルームの人同士がカラオケを競い合う方法は、他のカラオケ店舗の人と競い合ったり、会話を楽しんだりすることはできない。【解決手段】  本件発明のカラオケシステムは、カラオケをネットワーク化することで限られたルームの空間を無限に広げ、これまでのカラオケ店舗とは一線を画した全く新しいサービスを提供することができる。また、カラオケルーム同士をつなぐビデオチャット、更にルームをオンライン上で公開することでＰＣユーザーとカラオケルームのコミュニケーションも可能にする。また、カラオケ店舗発「新人発掘オーディション」で話題性を高めることで、「コミュニケーションの場」として新たなカラオケ店舗をアピールできる。【選択図】図１
2005077752.tif 000002
【特許請求の範囲】
【請求項１】
カラオケ装置と、カラオケチャット端末装置と、カラオケチャットサーバ装置と、からなるカラオケシステムであって、
前記カラオケ装置は、
カラオケ音楽データと、人の声のマイクからの入力データと、に基づいた情報であるカラオケ歌声演奏情報を出力する第一カラオケ歌声演奏情報出力部と、
を有し、
前記カラオケチャット端末装置は、
前記カラオケ装置の前記第一カラオケ歌声演奏情報出力部から出力されるカラオケ歌声演奏情報を入力するカラオケ歌声演奏情報入力部と、
前記カラオケ歌声演奏情報入力部に入力されたカラオケ歌声演奏情報を出力する第二カラオケ歌声演奏情報出力部と、
チャット情報を入力するためのチャット情報入力部と、
他のカラオケチャット端末装置からのチャット情報を含む他チャット情報を出力する第一他チャット情報出力部と、
を有し、
前記カラオケチャットサーバ装置は、
複数のカラオケチャット端末装置から出力されたチャット情報を取得可能なチャット情報取得部と、
複数のカラオケチャット端末装置に対して前記チャット情報取得部で取得したチャット情報を他チャット情報として出力する第二他チャット情報出力部と、
を有するカラオケシステム。
【請求項２】
さらに、映像情報取得部と、第一映像情報出力部とを有するカメラ装置を有し、
前記カラオケチャット端末装置は、
前記第一映像情報出力部から出力された映像情報を入力するための映像情報入力部と、
前記映像情報入力部から入力された映像情報を出力する第二映像情報出力部と、
を有する請求項１に記載のカラオケシステム。
【請求項３】
前記カラオケチャット端末装置は、
前記カラオケ歌声演奏情報入力部で取得したカラオケ歌声演奏情報と、前記映像情報入力部で取得した映像情報とをミックスして圧縮情報を生成する圧縮部と、
前記圧縮部で圧縮された圧縮情報を送信する送信部とをさらに有する請求項１又は、２に記載のカラオケシステム。
【請求項４】
請求項１に記載のカラオケチャット端末装置。
【請求項５】
請求項１に記載のカラオケチャットサーバ装置。
【請求項６】
請求項１に記載のカラオケ装置。
【請求項７】
前記第一カラオケ歌声演奏情報出力部は、カラオケ音楽データを取得するカラオケ音楽データ取得手段と、人の声のマイクからの入力データであるマイクデータを取得するマイクデータ取得手段と、前記カラオケ音楽データ取得手段で取得したカラオケ音楽データと、前記マイクデータ取得手段で取得したマイクデータと、を重畳する重畳手段を有する請求項１に記載のカラオケシステム。
【請求項８】
前記チャット情報入力部は、文字情報を入力する文字情報入力手段を有する請求項１に記載のカラオケシステム。
【請求項９】
前記チャット情報入力部は、音声情報を入力する音声情報入力手段を有する請求項１に記載のカラオケシステム。
【請求項１０】
前記チャット情報入力部は、映像情報を入力する映像情報入力手段を有する請求項１に記載のカラオケシステム。
【請求項１１】
前記音声情報入力手段は、カラオケ音楽を伴奏として歌い手から発声される歌声データをカラオケマイクから取得するカラオケ歌声取得機能を有する請求項９に記載のカラオケシステム。
【請求項１２】
前記カラオケチャット端末装置は、
カラオケ音楽と、前記カラオケ歌声取得機能により取得される歌声データと、のタイミング関係を示す情報であるタイミング情報を取得するタイミング情報取得部と、
演奏するカラオケ音楽を識別するためのカラオケ音楽識別情報を取得するカラオケ音楽識別情報取得部と、を有し、
前記チャット情報入力部は、前記カラオケ歌声取得機能により取得した歌声データと、伴奏として演奏されたカラオケ音楽のカラオケ音楽識別情報とともに前記タイミング情報取得部が取得したタイミング情報をチャット情報として入力する請求項１１に記載のカラオケシステム。
【請求項１３】
前記カラオケチャットサーバ装置は、
チャット情報を利用して複数のカラオケチャット端末装置間でカラオケを競わせるために競わせるべきカラオケ音楽を識別する情報である競争カラオケ音楽識別情報を取得する競争カラオケ音楽識別情報取得部と、
前記競争カラオケ音楽識別情報取得部で取得したカラオケ音楽識別情報で識別されるカラオケ音楽を前記複数のカラオケチャット端末装置に配信する競争カラオケ音楽配信部と、
を有する請求項１２に記載のカラオケシステム。
【請求項１４】
前記カラオケチャット端末装置は、
請求項１２記載の歌声データを含むチャット情報である歌声チャット情報に基づいて投票をするための投票入力部と、
前記投票入力部に入力された投票を前記カラオケチャットサーバ装置に出力する投票出力部と、をさらに有し、
前記カラオケチャットサーバ装置は、
前記投票出力部からの投票を集計する投票集計部と、
前記投票集計部での投票結果を出力する投票結果出力部と、を有する
請求項１２または１３に記載のカラオケシステム。
【請求項１５】
さらに前記投票結果出力部からの出力結果を受信してオーディションに利用するためのオーディション端末装置を有する請求項１４に記載のカラオケシステム。
【請求項１６】
前記第二他チャット情報出力部は、前記チャット情報取得部で取得したチャット情報を翻訳する翻訳手段をさらに有し、
前記翻訳手段にて翻訳されたチャット情報である翻訳済チャット情報を、他チャット情報として出力する請求項１に記載のカラオケシステム。
【請求項１７】
前記翻訳手段は、チャット情報を翻訳する言語を選択する翻訳言語選択器をさらに有する請求項１６に記載のカラオケシステム。
【請求項１８】
前記チャット情報取得部が取得するチャット情報は、そのチャット情報送信元の国識別情報を含み、
前記翻訳言語選択器は、チャット情報取得部が取得したチャット情報の前記国識別情報に基づいて前記言語の選択をする請求項１７に記載のカラオケシステム。
【請求項１９】
前記チャット情報入力部は、携帯電話のテンキーからのリモート入力を受付ける携帯電話入力手段を有する請求項１から１８の何れか一に記載のカラオケシステム。
【請求項２０】
前記チャット情報入力部は、カラオケ装置のリモコンのボタンを利用した入力を受付けるカラオケリモコン入力手段を有する請求項１から１８の何れか一に記載のカラオケシステム。
【発明の詳細な説明】
【技術分野】
【０００１】
本件発明は、インターネットを利用してサービスを提供するカラオケシステムに関する。
【背景技術】
【０００２】
従来、カラオケ店舗はある一定の場所にて単純に歌を歌うための機能という限定的なサービスのみを提供してきた。そこで、特許文献１に示すような、同一カラオケ店舗内の別々のカラオケルームに居ながらあたかも同じカラオケルームにいる雰囲気でカラオケを楽しむことを可能にするカラオケシステムが提案されている。
【特許文献１】特開２００２−１８２６６４
【発明の開示】
【発明が解決しようとする課題】
【０００３】
しかしながら、特許文献１に示すような方法は、同一カラオケ店舗内の別のカラオケルーム人同士がカラオケを競い合うことを目的としており、他のカラオケ店舗の人と競い合ったり、会話を楽しんだりすることはできない。
【課題を解決するための手段】
【０００４】
本件発明は、上記課題を解決するためになされたものである。
【０００５】
第一の発明は、カラオケ装置と、カラオケチャット端末装置と、カラオケチャットサーバ装置と、からなるカラオケシステムであって、前記カラオケ装置は、カラオケ音楽データと、人の声のマイクからの入力データと、に基づいた情報であるカラオケ歌声演奏情報を出力する第一カラオケ歌声演奏情報出力部と、を有し、前記カラオケチャット端末装置は、前記カラオケ装置の前記第一カラオケ歌声演奏情報出力部から出力されるカラオケ歌声演奏情報を入力するカラオケ歌声演奏情報入力部と、前記カラオケ歌声演奏情報入力部に入力されたカラオケ歌声演奏情報を出力する第二カラオケ歌声演奏情報出力部と、チャット情報を入力するためのチャット情報入力部と、他のカラオケチャット端末装置からのチャット情報を含む他チャット情報を出力する第一他チャット情報出力部と、を有し、前記カラオケチャットサーバ装置は、複数のカラオケチャット端末装置から出力されたチャット情報を取得可能なチャット情報取得部と、複数のカラオケチャット端末装置に対して前記チャット情報取得部で取得したチャット情報を他チャット情報として出力する第二他チャット情報出力部と、を有するカラオケシステムに関する。
【０００６】
第二の発明は、さらに、映像情報取得部と、第一映像情報出力部とを有するカメラ装置を有し、前記カラオケチャット端末装置は、前記第一映像情報出力部から出力された映像情報を入力するための映像情報入力部と、前記映像情報入力部から入力された映像情報を出力する第二映像情報出力部と、を有する第一の発明に記載のカラオケシステムに関する。
【０００７】
第三の発明は、前記カラオケチャット端末装置は、前記カラオケ歌声演奏情報入力部で取得したカラオケ歌声演奏情報と、前記映像情報入力部で取得した映像情報とをミックスして圧縮情報を生成する圧縮部と、前記圧縮部で圧縮された圧縮情報を送信する送信部とをさらに有する第一の発明又は、第二の発明に記載のカラオケシステムに関する。
【０００８】
第四の発明は、第一の発明に記載のカラオケチャット端末装置に関する。
【０００９】
第五の発明は、第一の発明に記載のカラオケチャットサーバ装置に関する。
【００１０】
第六の発明は、第一の発明に記載のカラオケ装置に関する。
【００１１】
第七の発明は、前記第一カラオケ歌声演奏情報出力部は、カラオケ音楽データを取得するカラオケ音楽データ取得手段と、人の声のマイクからの入力データであるマイクデータを取得するマイクデータ取得手段と、前記カラオケ音楽データ取得手段で取得したカラオケ音楽データと、前記マイクデータ取得手段で取得したマイクデータと、を重畳する重畳手段を有する第一の発明に記載のカラオケシステムに関する。
【００１２】
第八の発明は、前記チャット情報入力部は、文字情報を入力する文字情報入力手段を有する第一の発明に記載のカラオケシステムに関する。
【００１３】
第九の発明は、前記チャット情報入力部は、音声情報を入力する音声情報入力手段を有する第一の発明に記載のカラオケシステムに関する。
【００１４】
第十の発明は、前記チャット情報入力部は、映像情報を入力する映像情報入力手段を有する第一の発明に記載のカラオケシステムに関する。
【００１５】
第十一の発明は、前記音声情報入力手段は、カラオケ音楽を伴奏として歌い手から発声される歌声データをカラオケマイクから取得するカラオケ歌声取得機能を有する第九の発明に記載のカラオケシステムに関する。
【００１６】
第十二の発明は、前記カラオケチャット端末装置は、カラオケ音楽と、前記カラオケ歌声取得機能により取得される歌声データと、のタイミング関係を示す情報であるタイミング情報を取得するタイミング情報取得部と、演奏するカラオケ音楽を識別するためのカラオケ音楽識別情報を取得するカラオケ音楽識別情報取得部と、を有し、前記チャット情報入力部は、前記カラオケ歌声取得機能により取得した歌声データと、伴奏として演奏されたカラオケ音楽のカラオケ音楽識別情報とともに前記タイミング情報取得部が取得したタイミング情報をチャット情報として入力する第十一の発明に記載のカラオケシステムに関する。
【００１７】
第十三の発明は、前記カラオケチャットサーバ装置は、チャット情報を利用して複数のカラオケチャット端末装置間でカラオケを競わせるために競わせるべきカラオケ音楽を識別する情報である競争カラオケ音楽識別情報を取得する競争カラオケ音楽識別情報取得部と、前記競争カラオケ音楽識別情報取得部で取得したカラオケ音楽識別情報で識別されるカラオケ音楽を前記複数のカラオケチャット端末装置に配信する競争カラオケ音楽配信部と、を有する第十二の発明に記載のカラオケシステムに関する。
【００１８】
第十四の発明は、前記カラオケチャット端末装置は、第十二の発明記載の歌声データを含むチャット情報である歌声チャット情報に基づいて投票をするための投票入力部と、前記投票入力部に入力された投票を前記カラオケチャットサーバ装置に出力する投票出力部と、をさらに有し、前記カラオケチャットサーバ装置は、前記投票出力部からの投票を集計する投票集計部と、前記投票集計部での投票結果を出力する投票結果出力部と、を有する第十二または第十三の発明に記載のカラオケシステムに関する。
【００１９】
第十五の発明は、さらに前記投票結果出力部からの出力結果を受信してオーディションに利用するためのオーディション端末装置を有する第十四の発明に記載のカラオケシステムに関する。
【００２０】
第十六の発明は、前記第二他チャット情報出力部は、前記チャット情報取得部で取得したチャット情報を翻訳する翻訳手段をさらに有し、前記翻訳手段にて翻訳されたチャット情報である翻訳済チャット情報を、他チャット情報として出力する第一の発明に記載のカラオケシステムに関する。
【００２１】
第十七の発明は、前記翻訳手段は、チャット情報を翻訳する言語を選択する翻訳言語選択器をさらに有する第十六の発明に記載のカラオケシステムに関する。
【００２２】
第十八の発明は、前記チャット情報取得部が取得するチャット情報は、そのチャット情報送信元の国識別情報を含み、前記翻訳言語選択器は、チャット情報取得部が取得したチャット情報の前記国識別情報に基づいて前記言語の選択をする第十七の発明に記載のカラオケシステムに関する。
【００２３】
第十九の発明は、前記チャット情報入力部は、携帯電話のテンキーからのリモート入力を受付ける携帯電話入力手段を有する請求項１から１８の何れか一に記載のカラオケシステム。
【００２４】
第二十の発明は、前記チャット情報入力部は、カラオケ装置のリモコンのボタンを利用した入力を受付けるカラオケリモコン入力手段を有する第一から第十八の発明の何れか一に記載のカラオケシステムに関する。
【発明の効果】
【００２５】
本件発明のカラオケシステムは、カラオケをネットワーク化することで限られたルームの空間を無限に広げ、これまでのカラオケ店舗とは一線を画した全く新しいサービスを提供することができる。また、カラオケルーム同士をつなぐビデオチャット、更にルームをオンライン上で公開することでＰＣユーザーとカラオケルームのコミュニケーションも可能にする。また、カラオケ店舗発「新人発掘オーディション」で話題性を高めることで、「コミュニケーションの場」として新たなカラオケ店舗をアピールできる。更に、顧客の想い出作りをお手伝いするＣＤ製作を新たな収益源とすることで、カラオケ店舗の収益基盤を強化することができる。チャットやインターネットに強いｉモード世代のニーズに合った新たなエンターテイメント空間を提供するカラオケシステムはカラオケ復活の決定打として最も有望なシステムである。
【発明を実施するための最良の形態】
【００２６】
以下に本件発明の実施形態を説明する。実施形態と、請求項との関係はおおむね次のようなものである。
【００２７】
実施形態１は、主に、請求項１について説明している。
【００２８】
実施形態２は、主に、請求項２について説明している。
【００２９】
実施形態３は、主に、請求項３について説明している。
【００３０】
実施形態４は、主に、請求項４について説明している。
【００３１】
実施形態５は、主に、請求項５について説明している。
【００３２】
実施形態６は、主に、請求項６について説明している。
【００３３】
実施形態７は、主に、請求項７について説明している。
【００３４】
実施形態８は、主に、請求項８について説明している。
【００３５】
実施形態９は、主に、請求項９について説明している。
【００３６】
実施形態１０は、主に、請求項１０について説明している。
【００３７】
実施形態１１は、主に、請求項１１について説明している。
【００３８】
実施形態１２は、主に、請求項１２について説明している。
【００３９】
実施形態１３は、主に、請求項１３について説明している。
【００４０】
実施形態１４は、主に、請求項１４について説明している。
【００４１】
実施形態１５は、主に、請求項１５について説明している。
【００４２】
実施形態１６は、主に、請求項１６について説明している。
【００４３】
実施形態１７は、主に、請求項１７について説明している。
【００４４】
実施形態１８は、主に、請求項１８について説明している。
【００４５】
実施形態１９は、主に、請求項１９について説明している。
【００４６】
実施形態２０は、主に、請求項２０について説明している。
【００４７】
<<実施形態１>>
【００４８】
<実施形態１の概念>
【００４９】
以下に、実施形態１のカラオケシステムの概念を説明する。
【００５０】
図２１に示すのは、実施形態１のカラオケシステムの概念を示すシステム構成図の一例である。カラオケシステムは、複数のカラオケ店舗を有しており、全国各地のカラオケ店舗１、２、・・・、Ｎがインターネットを介してカラオケチャットサーバ装置と接続されている。
【００５１】
図２２に示すのは、カラオケ店舗のシステム構成図の一例である。各カラオケ店舗は、複数のカラオケルームＡ、・・・、Ｎを有しており、ルータに接続されることにより、インターネットを介してカラオケチャットサーバ装置と接続される。
【００５２】
図２３に示すのは、カラオケルームのシステム構成図の一例である。各カラオケルームは、複数のカラオケチャット端末装置、カラオケ装置、マイク・スピーカ、キーボード・ディスプレイ等を有している。カラオケチャット端末装置はルータに接続されることにより、インターネットを介してカラオケチャットサーバ装置と接続される。
【００５３】
実施形態１のカラオケシステムは、例えば、カラオケ店舗１内のカラオケルームＡの利用者は、カラオケチャット端末装置Ａがカラオケ店舗１内にあるルータに接続されることにより、インターネットを通じてカラオケチャットサーバ装置に接続される。その後、多数の同じ店舗内のカラオケルームＢ、・・・、Ｎあるいは他のカラオケ店舗２、・・・、Ｎのカラオケルームのカラオケチャット端末装置と接続されることによりカラオケルームの利用者はチャットサービスを利用できる。また、カラオケルームで歌った歌声をカラオケチャットサーバ装置に送信し、登録することもできるし、カラオケ店舗に設置されているＣＤ（Ｃｏｍｐａｃｔ  Ｄｉｓｃ）製作機に転送し、料金精算時にそのＣＤを受け取ることもできる。
【００５４】
<構成要件の明示>
【００５５】
図１に示すのは、実施形態１のカラオケシステム０１００の機能ブロック図である。
【００５６】
実施形態１のカラオケシステムは、カラオケ装置０１０１と、カラオケチャット端末装置０１０２と、カラオケチャットサーバ装置０１０３と、からなる。
【００５７】
カラオケ装置は、第一カラオケ歌声演奏情報出力部０１０４からなる。
【００５８】
カラオケチャット端末装置は、カラオケ歌声演奏情報入力部０１０５と、第二カラオケ歌声演奏情報出力部０１０６と、チャット情報入力部０１０７と、第一他チャット情報出力部０１０８と、からなる。
【００５９】
カラオケチャットサーバ装置は、チャット情報取得部０１０９と、第二他チャット情報出力部０１１０と、からなる。
【００６０】
なお、カラオケ装置とカラオケチャット端末装置はカラオケルーム内に一組設置されるのが一般的である。また、カラオケ店舗は、複数のカラオケルームで構成されるのが一般的である。図１においては、紙面の都合上、カラオケ装置とカラオケチャット端末装置のセットを一組しか記載していないが、本件発明は、複数のカラオケ装置とカラオケチャット端末装置のセット（カラオケ装置Ａ、カラオケチャット端末装置Ａ、カラオケ装置Ｂ、カラオケチャット端末装置Ｂ、・・・、カラオケ装置Ｎ、カラオケチャット端末装置Ｎ）で構成されている。
【００６１】
<構成の説明>
【００６２】
<カラオケ装置>
【００６３】
以下に、実施形態１のカラオケ装置の構成要件について説明する。
【００６４】
（カラオケ装置）
【００６５】
カラオケ装置は、マイク、スピーカ、アンプ、カラオケチャット端末装置などに接続される。また、カラオケ音楽データや、人の声のマイクからの入力データを入力したり、保持したりすることができる。
【００６６】
（第一カラオケ歌声演奏情報出力部）
【００６７】
第一カラオケ歌声演奏情報出力部は、カラオケ音楽データと、人の声のマイクからの入力データと、に基づいた情報であるカラオケ歌声演奏情報を出力する。第一カラオケ歌声演奏情報出力部から出力された、カラオケ歌声演奏情報は、カラオケチャット端末装置のカラオケ歌声演奏情報入力部に入力される。ここで「カラオケ音楽データ」とは、歌詞を含まないメロディーのみの楽曲のことをいう。また「人の声のマイクからの入力データ」とは、カラオケ利用者が、「カラオケ音楽データ」を伴奏にして、その歌の歌詞を歌った音声データのことをいう。さらに「カラオケ歌声演奏情報」とは、「カラオケ音楽データ」と「人の声のマイクからの入力データ」を合成した情報であってもよいし、別々に管理される情報であってもよい。
【００６８】
<カラオケチャット端末装置>
【００６９】
以下に、実施形態１のカラオケチャット端末装置の構成要件について説明する。
【００７０】
（カラオケチャット端末装置）
【００７１】
カラオケチャット端末装置は、カラオケ装置からカラオケ歌声演奏情報を入力する。一例として、カラオケ装置から入力されたカラオケ歌声演奏情報は、カラオケ店舗に設置されたルータを経由して、インターネットに接続されたカラオケチャットサーバ装置に送信され、登録される。また、カラオケ歌声演奏情報は、カラオケ店舗内のＬＡＮ（Ｌｏｃａｌ  Ａｒｅａ  Ｎｅｔｗｏｒｋ）を通じて、ＣＤ製作機に転送される。
【００７２】
さらに、カラオケチャット端末装置は、チャット情報を入力する。入力されたチャット情報は、カラオケ店舗に設置されたルータを経由して、インターネットに接続されたカラオケチャットサーバ装置に送信される。
【００７３】
（カラオケ歌声演奏情報入力部）
【００７４】
カラオケ歌声演奏情報入力部は、カラオケ装置の第一カラオケ歌声演奏情報出力部から出力されるカラオケ歌声演奏情報を入力する。カラオケ歌声演奏情報入力部に入力されたカラオケ歌声演奏情報は、第二カラオケ歌声演奏情報出力部に出力される。
【００７５】
（第二カラオケ歌声演奏情報出力部）
【００７６】
第二カラオケ歌声演奏情報出力部は、カラオケ歌声演奏情報入力部に入力されたカラオケ歌声演奏情報を出力する。一例として、出力されたカラオケ歌声演奏情報はカラオケ店舗に設置してあるスピーカから音声として出力されるのみならず、カラオケ店舗に設置されたルータを経由して、インターネットに接続されたカラオケチャットサーバ装置に送信される。さらに、一例として、出力されたカラオケ歌声演奏情報はカラオケ店舗内のＬＡＮを通じて、ＣＤ製作機に転送され、ＣＤが製作される。
【００７７】
（チャット情報入力部）
【００７８】
チャット情報入力部は、チャット情報を入力する。ここで「チャット情報」とは、文字データ（例えばテキストデータ）、音声データ、映像データなどのことをいう。
【００７９】
（第一他チャット情報出力部）
【００８０】
第一他チャット情報出力部は、他のカラオケチャット端末装置からのチャット情報をカラオケチャットサーバ装置から入力し、そのチャット情報を含む他チャット情報を出力する。ここで「他のカラオケチャット端末装置」とは、インターネットに接続された、自分が利用しているカラオケチャット端末装置以外のチャット相手が利用しているカラオケチャット端末装置のことをいい、遠隔のカラオケ店舗のカラオケチャット端末装置であってもよいし、同じカラオケ店舗内の他カラオケルームのカラオケチャット端末装置であってもよい。このまた「他チャット情報」とは、自分とチャット相手とのチャットの内容を示す情報のことをいう。なお、他チャット情報はカラオケチャット端末装置に接続された表示装置、スピーカなどに出力される。また、上記「他」の中には自分を含む場合もある。
【００８１】
<カラオケチャットサーバ装置>
【００８２】
以下に、実施形態１のカラオケチャットサーバ装置の構成要件について説明する。
【００８３】
（カラオケチャットサーバ装置）
【００８４】
カラオケチャットサーバ装置はインターネットに接続される。カラオケチャットサーバ装置は、インターネットを介してカラオケチャットサーバ装置に接続されている複数のカラオケチャット端末装置を管理し、接続要求のあったカラオケチャット端末装置同士を接続して、チャットができるようにする。また、カラオケチャット端末装置から送信されたカラオケ歌声演奏情報を登録する。カラオケチャットサーバ装置は、一例として、イベント企画会社やポータルサイト運営会社などによって運営される。
【００８５】
（チャット情報取得部）
【００８６】
チャット情報取得部は、複数のカラオケチャット端末装置から出力されたチャット情報を取得する。取得されたチャット情報は、第二他チャット情報出力部に転送される。
【００８７】
（第二他チャット情報出力部）
【００８８】
第二他チャット情報出力部は、複数のカラオケチャット端末装置に対してチャット情報取得部で取得したチャット情報を取得し、他チャット情報として出力する。出力された他チャット情報は、インターネットを経由して、カラオケチャット端末装置の第一他チャット情報出力部に入力される。ここで「チャット情報」は、一例として、インターネットを介して、ＶｏＩＰ（Ｖｏｉｃｅ  Ｏｖｅｒ  Ｉｎｔｅｒｎｅｔ  Ｐｒｏｔｏｃｏｌ）などで送信することができる。
【００８９】
<具体的サービスに基づく説明>
【００９０】
（カラオケ歌声演奏情報登録サービス）
【００９１】
以下に、カラオケ歌声演奏情報登録サービスについて説明する。
【００９２】
例えば、カラオケルームの利用者がカラオケ装置に接続されているマイクを用いて、カラオケ音楽の伴奏に従って、歌を歌うと、カラオケ歌声演奏情報が生成される。生成されたカラオケ歌声演奏情報は、第一カラオケ歌声演奏情報出力部からカラオケ装置に接続されたカラオケチャット端末装置のカラオケ歌声演奏情報入力部に転送され、さらに第二カラオケ歌声演奏情報出力部に入力される。第二カラオケ歌声演奏情報出力部に入力されたカラオケ歌声演奏情報は、カラオケ店舗に設置されたルータを経由して、インターネットに接続されたカラオケチャットサーバ装置に送信され、登録される。登録されたカラオケ歌声演奏情報は、イベント企画会社やポータルサイト運営会社、オーディション企画会社などによって、運営・管理され、さまざまなサービスに利用される。
【００９３】
（チャットサービス）
【００９４】
以下に、チャットサービスについて説明をする。
【００９５】
一例として、カラオケ店舗１のカラオケルームＡの利用者Ａと、カラオケ店舗２のカラオケルームＰの利用者Ｐがチャットをする場合を考える。利用者Ａはカラオケチャット端末装置Ａからカラオケ店舗１のルータ１からインターネットを経由して、カラオケチャットサーバ装置に接続し、チャットサービス要求をする。同様に利用者Ｐはカラオケチャット端末装置Ｐからカラオケ店舗２のルータ２からインターネットを経由して、カラオケチャットサーバ装置に接続し、チャットサービス要求をする。カラオケチャットサーバ装置は、各カラオケ店舗の利用者らの情報をチャットサービス運営サイトのウェブページに転送する。ウェブページ上の情報を基に利用者Ａ、Ｐは、チャットをしたい相手を選択し、チャットを開始する。この場合利用者Ａと利用者Ｐはお互いを選択する。その後、カラオケルームＡのカラオケチャット端末ＡとカラオケルームＰのカラオケチャット端末Ｐとが接続されて、利用者Ａと利用者Ｐのチャットが可能となる。
【００９６】
なお上記の説明では１対１のチャットの場合について説明したが、実施形態１の発明は、それに限定されるものではない。利用者は、自分たちの情報を、他のチャットサービス利用者の中から、性別・年代・地域・カラオケ店・ルームＮＯにより選択した複数の組に公開し、チャットをすることができる。
【００９７】
また、チャット相手に、カラオケ歌声演奏情報登録サービスで登録したカラオケ歌声演奏情報を公開することにより、お互いの歌声を聴くことも可能である。
【００９８】
（ＣＤ製作サービス：歌声録音）
【００９９】
以下に、ＣＤ製作サービスについて説明する。
【０１００】
カラオケルームの利用者がカラオケ店舗のカラオケシステムを利用し、自分の歌声を録音し、カラオケ店舗内のＬＡＮを通じてカラオケ店舗に設置してあるＣＤ製作機に転送し、ＣＤを製作するサービスである。
【０１０１】
例えば、カラオケルームの利用者がカラオケ装置に接続されているマイクを用いて、カラオケ音楽の伴奏に従って、歌を歌うと、カラオケ歌声演奏情報が生成される。生成されたカラオケ歌声演奏情報は、第一カラオケ歌声演奏情報出力部からカラオケ装置に接続されたカラオケチャット端末装置のカラオケ歌声演奏情報入力部に転送され、さらに第二カラオケ歌声演奏情報出力部に入力される。第二カラオケ歌声演奏情報出力部に入力されたカラオケ歌声演奏情報は、カラオケ店舗に接続されたＬＡＮを経由してカラオケ店舗に設置してあるＣＤ製作機に転送されＣＤが製作される。
【０１０２】
ＣＤ製作サービスでは、歌っている歌声をＣＤに録音することのみならず、プレビュー機能で実際にＣＤへ書き込まれる歌声を確認することができる。この歌声の確認は、カラオケ歌声演奏情報がカラオケチャット端末装置に転送された段階で行う。そうすれば気にいる歌声ができるまで何度でも取り直しが可能である。出来上がったＣＤは精算時に受け取れる。出来上がったＣＤはＣＤプレーヤーのみならずパソコンで再生することも可能である。
【０１０３】
<処理の流れ>
【０１０４】
以下に、実施形態１の処理の流れを説明する。
【０１０５】
（カラオケ歌声演奏情報の処理の流れ）
【０１０６】
図２４に示すのは、カラオケ歌声演奏情報の処理の流れを示す図である。
【０１０７】
まず、第一カラオケ歌声演奏情報出力部は、カラオケ音楽データと、人の声のマイクからの入力データと、に基づいた情報であるカラオケ歌声演奏情報を出力する（ステップＳ２４０１）。
【０１０８】
次に、カラオケ歌声演奏情報入力部は、カラオケ装置の第一カラオケ歌声演奏情報出力部から出力されるカラオケ歌声演奏情報を入力する（ステップＳ２４０２）。次に、第二カラオケ歌声演奏情報出力部は、カラオケ歌声演奏情報入力部からカラオケ歌声演奏情報を入力する（ステップＳ２４０３）。次に、第二カラオケ歌声演奏情報出力部は、カラオケ歌声演奏情報を出力する（ステップＳ２４０４）。
【０１０９】
（チャット情報の処理の流れ）
【０１１０】
図２５に示すのは、チャット情報の処理の流れを示す図である。
【０１１１】
チャット情報入力部は、チャット情報を入力する（ステップＳ２５０１）。次に、チャット情報取得部は、複数のカラオケチャット端末装置のチャット情報入力部から出力されたチャット情報を取得する（ステップＳ２５０２）。次に、第二他チャット情報出力部は、複数のカラオケチャット端末装置に対してチャット情報取得部で取得したチャット情報を他チャット情報として、カラオケチャット端末装置の第一他チャット情報出力部に対して出力する（ステップＳ２５０３）。次に、第一他チャット情報出力部は、カラオケチャットサーバ装置の第二他チャット情報出力部から他チャット情報を入力する（ステップＳ２５０４）。次に、第一他チャット情報出力部は、他のカラオケチャット端末装置からのチャット情報を含む他チャット情報を表示装置などに出力する（ステップＳ２５０５）。
【０１１２】
<実施形態１の効果の簡単な説明>
【０１１３】
実施形態１のカラオケシステムによれば、インターネットを活用したチャットで全国のカラオケ店舗利用者と対話することができ、またお互いの歌も聴くことができるので、親睦を図り、コミュニケーションの場を提供することができる。
【０１１４】
また、カラオケ店舗で利用者が歌を歌う姿を録音しＣＤ製作すること及びサーバに登録できるようにすることで利用者の興味を増大することができる。
【０１１５】
<<実施形態２>>
【０１１６】
<実施形態２の概念>
【０１１７】
実施形態２のカラオケシステムは、さらに、映像情報取得部と、第一映像情報出力部とを有するカメラ装置を有し、カラオケチャット端末装置は、第一映像情報出力部から出力された映像情報を入力するための映像情報入力部と、映像情報入力部から入力された映像情報を出力する第二映像情報出力部と、を有する実施形態１に記載のカラオケシステムに関する。カメラ装置をさらに有する以外は実施形態１と同様なので、その相違点について述べる。
【０１１８】
図２６に示すのは、実施形態２のカラオケルームのシステム構成図の一例である。各カラオケルームは、複数のカラオケチャット端末装置、カラオケ装置、カメラ装置、マイク・スピーカ、キーボード・ディスプレイ等を有している。カラオケチャット端末装置はルータに接続されることにより、インターネットを介してカラオケチャットサーバ装置と接続される。
【０１１９】
実施形態２のカラオケシステムは、一例として、カラオケルームで歌った歌声を映像付でカラオケチャットサーバ装置に送信し、登録することもできるし、カラオケ店舗に設置されているＤＶＤ（Ｄｉｇｉｔａｌ  Ｖｅｒｓａｔｉｌｅ  Ｄｉｓｃ）製作機に転送し、料金精算時にその映像付歌声を録音・録画したＤＶＤを受け取ることもできる。
【０１２０】
<構成要件の明示>
【０１２１】
図２に示すのは、実施形態２のカラオケシステム０２００である。
【０１２２】
実施形態２のカラオケシステムは、カラオケ装置０２０１と、カラオケチャット端末装置０２０２と、カラオケチャットサーバ装置０２０３と、カメラ装置０２０４と、からなる。
【０１２３】
カラオケ装置は、第一カラオケ歌声演奏情報出力部０２０５からなる。
【０１２４】
カラオケチャット端末装置は、カラオケ歌声演奏情報入力部０２０６と、第二カラオケ歌声演奏情報出力部０２０７と、チャット情報入力部０２０８と、第一他チャット情報出力部０２０９と、映像情報入力部０２１０と、第二映像情報出力部０２１１と、からなる。
【０１２５】
カラオケチャットサーバ装置は、チャット情報取得部０２１２と、第二他チャット情報出力部０２１３と、からなる。
【０１２６】
カメラ装置は、映像情報取得部０２１４と、第一映像情報出力部０２１５と、からなる。
【０１２７】
<構成の説明>
【０１２８】
カラオケ装置、カラオケチャットサーバ装置の構成要件については実施形態１と同様なので説明を省略する。
【０１２９】
<カラオケチャット端末装置>
【０１３０】
以下に、実施形態２のカラオケチャット端末装置の構成要件について説明する。
【０１３１】
カラオケ歌声演奏情報入力部、第二カラオケ歌声演奏情報出力部、チャット情報入力部、第一他チャット情報出力部については、実施形態１と同様なので説明を省略する。
【０１３２】
（カラオケチャット端末装置）
【０１３３】
カラオケチャット端末装置は、カラオケ装置からカラオケ歌声演奏情報を、カメラ装置から映像情報を入力する。一例として、カラオケ装置から入力されたカラオケ歌声演奏情報やカメラ装置から入力された映像情報は、カラオケ店舗に設置されたルータを経由して、インターネットに接続されたカラオケチャットサーバ装置に送信され、登録される。また、カラオケ歌声演奏情報や映像情報は、カラオケ店舗内のＬＡＮ（Ｌｏｃａｌ  Ａｒｅａ  Ｎｅｔｗｏｒｋ）を通じて、カラオケ店舗内に設置されたＤＶＤ製作機に転送される。
【０１３４】
さらに、カラオケチャット端末装置は、チャット情報を入力する。入力されたチャット情報は、カラオケ店舗に設置されたルータを経由して、インターネットに接続されたカラオケチャットサーバ装置に送信される。
【０１３５】
映像情報をカメラ装置から取得することが実施形態２の特徴である。
【０１３６】
（映像情報入力部）
【０１３７】
映像情報入力部は、カメラ装置の第一映像情報出力部から出力された映像情報を入力する。入力した映像情報は第二映像情報出力部に出力される。
【０１３８】
（第二映像情報出力部）
【０１３９】
第二映像情報出力部は、映像情報入力部から入力された映像情報を出力する。一例として、出力された映像情報は、インターネットを通じてカラオケチャットサーバ装置に送信される。さらに、出力された映像情報はカラオケ店舗内のＬＡＮを通じて、カラオケ店舗内に設置されたＤＶＤ製作機に転送され、ＤＶＤが製作される。
【０１４０】
<カメラ装置>
【０１４１】
以下に、実施形態２のカラオケチャット端末装置の構成要件について説明する。
【０１４２】
（カメラ装置）
【０１４３】
カメラ装置は、静止画映像と動画映像のどちらでも撮影することが可能である。
【０１４４】
（映像取得部）
【０１４５】
映像情報取得部は、カラオケルーム内に設置されたＣＣＤカメラなどにより、カラオケを歌っているときの映像情報などを取得する。ＣＣＤカメラの位置は手動で動かすこともできるし、リモコンを使用して動かすこともできるし、カラオケチャット端末装置からの操作によって動かすこともできる。また、インターネットを介して、チャットしている相手がカメラを動かすことも可能である。
【０１４６】
（第一映像情報出力部）
【０１４７】
第一映像情報出力部は、映像情報取得部から出力された映像情報を入力する。入力された映像情報は、カラオケチャット端末装置に送信される。
【０１４８】
<具体的サービスに基づく説明>
【０１４９】
実施形態２の発明は、実施形態１で説明したカラオケ歌声演奏情報登録サービス、チャットサービス、ＤＶＤ製作サービス（歌声録音）に加えて下記のサービスを有する。
【０１５０】
（映像情報登録サービス）
【０１５１】
以下に、映像情報登録サービスについて説明する。
【０１５２】
例えば、カラオケルームに設置してあるカメラ装置は、カラオケルームの利用者の映像情報を取得する。取得された映像情報は、カメラ装置に接続されたカラオケチャット端末装置に転送される。カメラ装置から転送された映像情報は、カラオケ店舗に設置されたルータを経由して、インターネットに接続されたカラオケチャットサーバ装置に送信され、登録される。登録された映像情報は、イベント企画会社やポータルサイト運営会社、オーディション企画会社などによって、運営・管理され、さまざまなサービスに利用される。
【０１５３】
なお、カラオケ歌声演奏情報と同期を取ることにより、映像付カラオケ歌声演奏情報を生成することも可能である。
【０１５４】
（ウェブカム放送）
【０１５５】
以下に、ウェブカム（ウェブカメラ）放送の説明をする。
【０１５６】
ウェブカム放送においては、利用者は、映像情報登録サービスで登録された自分たちの映像をインターネット上に公開することによって、一般のＰＣユーザに公開して、その公開サイトにアクセスした一般のＰＣユーザとチャットができる。
【０１５７】
図２８に示すのは、ウェブカム放送の一例を示す図であって、インターネット上から上記公開サイトにアクセスした一般のＰＣユーザがカラオケルームの利用者とチャットをしているところを示している。
【０１５８】
（ＤＶＤ製作サービス：映像録画）
【０１５９】
以下に、ＤＶＤ製作サービス（映像録画）について説明する。
【０１６０】
カラオケルームの利用者がカラオケ店舗のカラオケシステムを利用し、自分の映像を録画し、カラオケ店舗内のＬＡＮを通じてカラオケ店舗に設置してあるＤＶＤ製作機に転送し、ＤＶＤを製作するサービスである。
【０１６１】
例えば、カラオケルームの利用者がカメラ装置を用いて、映像情報を取得する。取得された映像情報は、映像情報取得部で取得され、第一映像情報出力部に入力される。入力された映像情報は、カメラ装置に接続されたカラオケチャット端末装置の映像情報入力部に転送される。転送された映像情報は、第二映像情報出力部に転送され、カラオケチャット端末装置からカラオケ店舗に接続されたＬＡＮを経由してカラオケ店舗に設置してあるＤＶＤ製作機に転送されＤＶＤが製作される。
【０１６２】
ＤＶＤ製作サービス（映像録画）では、歌っている音声付映像をＤＶＤに録画・録音することができる。プレビュー機能で実際にＤＶＤへ書き込まれる音声付映像を確認することができる。この音声付映像の確認は、映像情報がカラオケチャット端末装置に転送された段階で行う。気にいる音声付映像ができるまで何度でも取り直しが可能である。出来上がったＤＶＤは精算時に受け取れる。出来上がったＤＶＤはＤＶＤプレーヤーのみならずパソコンで再生することも可能である。
【０１６３】
図２９に示すのは、ＤＶＤ製作サービスを利用して歌っている音声付映像をＤＶＤに録画・録音する場合の入力画面の一例である。
【０１６４】
（フォトメールサービス）
【０１６５】
以下に、フォトメールサービスについて説明する。
【０１６６】
フォトメールサービスは、カラオケシステム利用者がシステムを利用して自分の姿を撮影した後、電子メールで転送するサービスである。
【０１６７】
例えば、カラオケルームの利用者がカメラ装置を用いて、映像情報（写真）を取得する。取得された映像情報（写真）は、映像情報取得部で取得され、第一映像情報出力部に入力される。入力された映像情報（写真）は、カメラ装置に接続されたカラオケチャット端末装置の映像情報入力部に転送される。転送された映像情報（写真）は、第二映像情報出力部に転送され、カラオケチャット端末装置からパソコンへメール送信することができる。写真を友達に瞬時に送ることも可能である。また、撮影した写真を携帯電話に送信することもできる。送信した画像は、携帯の待受画面などに利用することもできる。
【０１６８】
図３０に示すのは、フォトサービスを利用して撮影した写真をメール送信する場合の入力画面の一例である。
【０１６９】
（カラオケオーディションサービス）
【０１７０】
以下に、カラオケオーディションサービスの説明をする。
【０１７１】
カラオケルーム利用者は、自分の歌っている映像を録画し、カラオケチャット端末装置からインターネット経由で、カラオケチャットサーバ装置に送信する。送信された情報は、オーディションサイトに登録される。
【０１７２】
例えば、カラオケルームに設置してあるカメラ装置は、カラオケルームの利用者の映像情報を取得する。取得された映像情報は、カメラ装置に接続されたカラオケチャット端末装置に転送される。カメラ装置から転送された映像情報は、カラオケ店舗に設置されたルータを経由して、インターネットに接続されたカラオケチャットサーバ装置に送信され、オーディションサイトに登録される。オーディションサイトに登録された映像は、サービス利用者が利用するだけでなく、大手レーベル会社などとの提携により、実際に大手レーベル会社のオーディションを受けることができる。
【０１７３】
なお、プレビュー機能で、実際にオーディションサイトへ登録される映像を確認することができる。気にいる映像ができるまで何度でも撮り直しが可能となる。
【０１７４】
図３１に示すのは、カラオケルーム利用者がカラオケオーディションサイトに登録する際に入力する入力画面の一例である。
【０１７５】
図３２に示すのは、カラオケオーディションサイトの画面の一例である。
【０１７６】
図３３に示すのは、図３２のカラオケオーディションサイトの画面の中から登録者の写真部分を拡大したものである。
【０１７７】
<その他の例：ビデオチャット>
【０１７８】
カラオケシステム利用者がシステムを利用してカラオケチャット端末装置からインターネットに接続し、カラオケチャットサーバ装置にチャットサービス要求をすれば、カラオケチャットサーバ装置は、各カラオケ店舗の利用者らの情報をチャットサービス運営サイトのウェブページに転送する。ウェブページ上の情報を基にカラオケ利用者は、チャットをしたい相手を選択し、チャットを開始する。その後、カラオケルームのカラオケチャット端末同士が接続されてビデオチャットが可能となる。画像情報はカラオケルームのカラオケチャット端末装置に接続された表示装置にディスプレイされ、お互いの歌っている様子を見ながら楽しむことができる。また、カラオケルームのカラオケチャット端末装置に接続されたキーボードなどの入力装置から文字情報（テキストデータなど）を入力し、画像を見ながらチャットすることもできる。また、カラオケルームのカラオケチャット端末装置に接続されたマイクなどの入力装置から音声情報を入力し、画像を見ながら音声チャットすることもできる。なお利用者は、自分たちの映像を、他のチャットサービス利用者の中から、性別・年代・地域・カラオケ店・ルームＮＯにより選択した１組のみに公開し、お互いの映像を見ながらチャットをすることができる。新宿店のカラオケ店舗のあるカラオケルームの女性グループと、渋谷店のカラオケ店舗のあるカラオケルームの男性グループが１対１でビデオチャットすることも可能である。また、自分たちの映像をインターネット上に公開することによって、他の複数のサービス利用者（例えば最大５組）が同時に、そのライブ映像を見ることができる。またその５組の利用者とチャットをすることができる。さらに、利用者は、自分のカラオケルームのライブカメラだけでなく、インターネット経由で相手のライブカメラを自由に動かすことも可能である。
【０１７９】
<実施形態２の効果の簡単な説明>
【０１８０】
実施形態２のカラオケシステムによれば、インターネットを活用した映像チャットで全国のカラオケ店舗利用者との映像、音声、文字対話を通じてお互いの歌も聴くことができるだけでなく映像を見ながらチャットを楽しむことができるので、親睦を図り、コミュニケーションの場を提供することができる。
【０１８１】
カラオケ店舗で利用者が歌を歌う姿を録画、ＤＶＤ製作及びサーバに登録できるようにすることで利用者の興味を増大することができる。
【０１８２】
審査員と審査対象者がお互いに顔を突き合わせずとも画像通信を通じてリアルタイムで採用審査することができるので、経費節減及び利便性向上を図ることができる。
【０１８３】
採用審査用ビデオをカラオケ店舗などで容易に製作でき、専用のスタジオを利用せずとも簡単に採用審査用ビデオの製作が可能になる。また、これを審査用サーバにアップロードし、審査員らが審査する間に一般のインターネットユーザらもこれを視聴し、自分が考える評価を投票し、審査に反映することができるので、経費節減のみならず、一般への広報的な効果、採用審査の公平性までともに得ることができる。
【０１８４】
審査員と審査対象者がお互いに顔を突き合わせずとも画像通信を通じてリアルタイムで採用審査することができるので、経費節減及び利便性向上を図ることができる。
【０１８５】
採用審査用ビデオをカラオケ店舗などで容易に製作でき、専用のスタジオを利用せずとも簡単に採用審査用ビデオの製作が可能になる。また、これを審査用サーバにアップロードし、審査員らが審査する間に一般のインターネットユーザらもこれを視聴し、自分が考える評価を投票し、審査に反映することができるので、経費節減のみならず、一般への広報的な効果、採用審査の公平性までともに得ることができる。
【０１８６】
<<実施形態３>>
【０１８７】
<実施形態３の概念>
【０１８８】
実施形態３のカラオケシステムは、カラオケチャット端末装置は、カラオケ歌声演奏情報入力部で取得したカラオケ歌声演奏情報と、映像情報入力部で取得した映像情報とをミックスして圧縮情報を生成する圧縮部と、圧縮部で圧縮された圧縮情報を送信する送信部とをさらに有する実施形態１又は、２に記載のカラオケシステムに関する。圧縮して送信することにより、ネットワークの負荷を低減することができる。カラオケチャット端末装置に圧縮部と送信部をさらに有する以外は実施形態１又は２と同様なので、その相違点について述べる。
【０１８９】
<構成要件の明示>
【０１９０】
図３に示すのは、実施形態３のカラオケシステム０３００である。
【０１９１】
実施形態３のカラオケシステムは、カラオケ装置０３０１と、カラオケチャット端末装置０３０２と、カラオケチャットサーバ装置０３０３と、カメラ装置０３０４と、からなる。
【０１９２】
カラオケ装置は、第一カラオケ歌声演奏情報出力部０３０５からなる。
【０１９３】
カラオケチャット端末装置は、カラオケ歌声演奏情報入力部０３０６と、第二カラオケ歌声演奏情報出力部０３０７と、チャット情報入力部０３０８と、第一他チャット情報出力部０３０９と、映像情報入力部０３１０と、第二映像情報出力部０３１１と、圧縮部０３１２と、送信部０３１３と、からなる。
【０１９４】
カラオケチャットサーバ装置は、チャット情報取得部０３１４と、第二他チャット情報出力部０３１５と、からなる。
【０１９５】
カメラ装置は、映像情報取得部０３１６と、第一映像情報出力部０３１７と、からなる。
【０１９６】
<構成の説明>
【０１９７】
カラオケ装置、カラオケチャットサーバ装置、カメラ装置の構成要件については実施形態１と同様なので説明を省略する。
【０１９８】
<カラオケチャット端末装置>
【０１９９】
以下に、実施形態３のカラオケチャット端末装置の構成要件について説明する。
【０２００】
カラオケ歌声演奏情報入力部、第二カラオケ歌声演奏情報出力部、チャット情報入力部、第一他チャット情報出力部、映像情報入力部、第一映像情報出力部については、実施形態１又は２と同様なので説明を省略する。
【０２０１】
（カラオケチャット端末装置）
【０２０２】
カラオケチャット端末装置は、カラオケ装置からカラオケ歌声演奏情報や映像情報を入力する。また、一例として、カラオケ装置から入力されたカラオケ歌声演奏情報や映像情報を、ＬＡＮを通じて、ＤＶＤ製作機に転送する。さらに、カラオケ装置から入力されたカラオケ歌声演奏情報や映像情報あるいはチャット情報を、インターネット経由で、カラオケチャットサーバ装置に送信する。カラオケ歌声演奏情報や映像情報を圧縮してカラオケチャットサーバ装置に送信することができることが実施形態３の特徴である。
【０２０３】
（圧縮部）
【０２０４】
圧縮部は、カラオケ歌声演奏情報入力部で取得したカラオケ歌声演奏情報と、映像情報入力部で取得した映像情報とをミックスして圧縮情報を生成する。ここで圧縮技術としては、一例として、圧縮効率の高いＭＰＥＧ４（Ｍｏｔｉｏｎ  Ｐｉｃｔｕｒｅ  Ｅｘｐｅｒｔｓ  Ｇｒｏｕｐ  ４）などが使用できる。
【０２０５】
（送信部）
【０２０６】
送信部は、圧縮部で圧縮された圧縮情報を送信する。一例として、圧縮情報は、カラオケ店舗に設置されたルータから、インターネット経由でカラオケチャットサーバ装置に送信される。また、カラオケ店舗内のＬＡＮ経由でカラオケ店舗に設置かれたＤＶＤ製作機に送信することも可能である。
【０２０７】
<実施形態３の効果の簡単な説明>
【０２０８】
実施形態３のカラオケシステムによれば、カラオケ装置から入力されたカラオケ歌声演奏情報や映像情報あるいはチャット情報を、圧縮効率の高いＭＰＥＧ４などの圧縮技術を使用して、インターネット経由で、カラオケチャットサーバ装置に送信することによりネットワークの負荷の低減ならびに送信時間の短縮を図ることができる。
【０２０９】
<<実施形態４>>
【０２１０】
<実施形態４の概念>
【０２１１】
実施形態４のカラオケチャット端末装置は、実施形態１に記載のカラオケチャット端末装置に関する。
【０２１２】
<構成要件の明示>
【０２１３】
図４に示すのは、実施形態４のカラオケチャット端末装置０４００の機能ブロック図である。
【０２１４】
実施形態４のカラオケチャット端末装置は、カラオケ歌声演奏情報入力部０４０１と、第二カラオケ歌声演奏情報出力部０４０２と、チャット情報入力部０４０３と、第一他チャット情報出力部０４０４と、からなる。
【０２１５】
<構成の説明>
【０２１６】
実施形態４のカラオケチャット端末装置は、実施形態１の構成要件と同様であるので説明を省略する。
【０２１７】
<<実施形態５>>
【０２１８】
<実施形態５の概念>
【０２１９】
実施形態５のカラオケチャットサーバ装置は、実施形態１に記載のカラオケチャットサーバ装置に関する。
【０２２０】
<構成要件の明示>
【０２２１】
図５に示すのは、実施形態５のカラオケチャットサーバ装置０５００の機能ブロック図である。
【０２２２】
実施形態５のカラオケチャットサーバ装置は、チャット情報取得部０５０１と、第二他チャット情報出力部０５０２と、からなる。
【０２２３】
<構成の説明>
【０２２４】
実施形態５のカラオケチャットサーバ装置は、実施形態１の構成要件と同様であるので説明を省略する。
【０２２５】
<<実施形態６>>
【０２２６】
<実施形態６の概念>
【０２２７】
実施形態６のカラオケ装置は、実施形態１に記載のカラオケ装置に関する。
【０２２８】
<構成要件の明示>
【０２２９】
図６に示すのは、実施形態６のカラオケ装置０６００の機能ブロック図である。
【０２３０】
実施形態６のカラオケ装置は、第一カラオケ歌声演奏情報出力部０６０１からなる。
【０２３１】
<構成の説明>
【０２３２】
実施形態６のカラオケ装置は、実施形態１の構成要件と同様であるので説明を省略する。
【０２３３】
<<実施形態７>>
【０２３４】
<実施形態７の概念>
【０２３５】
実施形態７のカラオケシステムは、第一カラオケ歌声演奏情報出力部は、カラオケ音楽データを取得するカラオケ音楽データ取得手段と、人の声のマイクからの入力データであるマイクデータを取得するマイクデータ取得手段と、カラオケ音楽データ取得手段で取得したカラオケ音楽データと、マイクデータ取得手段で取得したマイクデータと、を重畳する重畳手段を有する実施形態１に記載のカラオケシステムに関する。
【０２３６】
<構成要件の明示>
【０２３７】
図７に示すのは、実施形態７のカラオケシステム０７００の機能ブロック図である。
【０２３８】
実施形態７のカラオケシステムは、カラオケ装置０７０１と、カラオケチャット端末装置０７０２と、カラオケチャットサーバ装置０７０３と、からなる。
【０２３９】
カラオケ装置は、第一カラオケ歌声演奏情報出力部０７０４からなる。さらに第一カラオケ歌声演奏情報出力部は、カラオケ音楽データ取得手段０７１１と、マイクデータ取得手段０７１２と、重畳手段０７１３と、からなる。
【０２４０】
カラオケチャット端末装置は、カラオケ歌声演奏情報入力部０７０５と、第二カラオケ歌声演奏情報出力部０７０６と、チャット情報入力部０７０７と、第一他チャット情報出力部０７０８と、からなる。
【０２４１】
カラオケチャットサーバ装置は、チャット情報取得部０７０９と、第二他チャット情報出力部０７１０と、からなる。
【０２４２】
<構成の説明>
【０２４３】
カラオケチャット端末装置、カラオケチャットサーバ装置の構成要件については実施形態１と同様なので説明を省略する。
【０２４４】
<カラオケ装置>
【０２４５】
以下に、実施形態７のカラオケ装置の第一カラオケ歌声演奏情報出力部の構成要件について説明する。
【０２４６】
（カラオケ音楽データ取得手段）
【０２４７】
カラオケ音楽データ取得手段は、カラオケ音楽データを取得する。
【０２４８】
（マイクデータ取得手段）
【０２４９】
マイクデータ取得手段は、人の声のマイクからの入力データであるマイクデータを取得する。
【０２５０】
（重畳手段）
【０２５１】
重畳手段は、カラオケ音楽データ取得手段で取得したカラオケ音楽データと、マイクデータ取得手段で取得したマイクデータと、を重畳する。重畳されたデータは、カラオケチャット端末装置のカラオケ歌声演奏情報入力部に出力される。
【０２５２】
<実施形態７の効果の簡単な説明>
【０２５３】
カラオケ音楽データと、マイクデータを重畳することにより、後で同期を取る必要がなくなる。
【０２５４】
<<実施形態８>>
【０２５５】
<実施形態８の概念>
【０２５６】
実施形態８のカラオケシステムは、カラオケチャット端末装置のチャット情報入力部は、文字情報を入力する文字情報入力手段を有する実施形態１に記載のカラオケシステムに関する。
【０２５７】
<構成要件の明示>
【０２５８】
図８に示すのは、実施形態８のカラオケシステム０８００の機能ブロック図である。
【０２５９】
実施形態８のカラオケシステムは、カラオケ装置０８０１と、カラオケチャット端末装置０８０２と、カラオケチャットサーバ装置０８０３と、からなる。
【０２６０】
カラオケ装置は、第一カラオケ歌声演奏情報出力部０８０４からなる。
【０２６１】
カラオケチャット端末装置は、カラオケ歌声演奏情報入力部０８０５と、第二カラオケ歌声演奏情報出力部０８０６と、チャット情報入力部０８０７と、第一他チャット情報出力部０８０８と、からなる。さらに、チャット情報入力部は、文字情報入力手段０８１１を有する。
【０２６２】
カラオケチャットサーバ装置は、チャット情報取得部０８０９と、第二他チャット情報出力部０８１０と、からなる。
【０２６３】
<構成の説明>
【０２６４】
カラオケ装置、カラオケチャットサーバ装置の構成要件については実施形態１と同様なので説明を省略する。
【０２６５】
<カラオケチャット端末装置>
【０２６６】
以下に、実施形態８のチャット情報入力部の構成要件について説明する。
【０２６７】
（文字情報入力手段）
【０２６８】
文字情報入力手段は、文字情報を入力する。入力された文字情報は、カラオケチャットサーバ装置のチャット情報取得部に出力される。ここで文字情報は、カラオケチャット端末装置に接続されたキーボード、ペン入力装置などから入力することができる。
【０２６９】
<具体的サービスに基づく説明>
【０２７０】
実施形態８では実施形態１で説明したサービスに加えて、以下のサービスを有する。
【０２７１】
（チャットサービス：文字情報）
【０２７２】
以下に、チャットサービス（文字情報）について説明をする。
【０２７３】
チャットサービス（文字情報）利用者は、カラオケルームのカラオケチャット端末装置に接続されたキーボードなどの入力装置からチャット情報である文字情報（テキストデータなど）を入力する。入力された文字情報は、チャット情報入力部の文字情報入力手段に入力される。入力された文字情報は、チャット情報入力部からチャット情報取得部に転送され、さらに第二他チャット情報出力部に転送される。さらに文字情報は、第二他チャット情報出力部からチャット相手の第一他チャット情報出力部に送信される。チャット相手の第一他チャット情報出力部に送信された文字情報は、チャット相手のカラオケチャット端末装置に接続されているディスプレイ装置に表示される。表示された文字情報を見て、文字情報送信者に文字情報を返信する。文字情報の返信の手順は、文字情報送信者と同様なので説明を省略する。
【０２７４】
<実施形態８の効果の簡単な説明>
【０２７５】
文字情報でチャットすることができる。
【０２７６】
<<実施形態９>>
【０２７７】
<実施形態９の概念>
【０２７８】
実施形態９のカラオケシステムは、チャット情報入力部は、音声情報を入力する音声情報入力手段を有する実施形態１に記載のカラオケシステムに関する。
【０２７９】
<構成要件の明示>
【０２８０】
図９に示すのは、実施形態９のカラオケシステム０９００の機能ブロック図である。
【０２８１】
実施形態９のカラオケシステムは、カラオケ装置０９０１と、カラオケチャット端末装置０９０２と、カラオケチャットサーバ装置０９０３と、からなる。
【０２８２】
カラオケ装置は、第一カラオケ歌声演奏情報出力部０９０４からなる。
【０２８３】
カラオケチャット端末装置は、カラオケ歌声演奏情報入力部０９０５と、第二カラオケ歌声演奏情報出力部０９０６と、チャット情報入力部０９０７と、第一他チャット情報出力部０９０８と、からなる。さらに、チャット情報入力部は、音声情報入力手段０９１１を有する。
【０２８４】
カラオケチャットサーバ装置は、チャット情報取得部０９０９と、第二他チャット情報出力部０９１０と、からなる。
【０２８５】
<構成の説明>
【０２８６】
カラオケ装置、カラオケチャットサーバ装置の構成要件については実施形態１と同様なので説明を省略する。
【０２８７】
<カラオケチャット端末装置>
【０２８８】
以下に、実施形態９のチャット情報入力部の構成要件について説明する。
【０２８９】
（音声情報入力手段）
【０２９０】
音声情報入力手段は、音声情報を入力する。入力された音声情報は、カラオケチャットサーバ装置のチャット情報取得部に出力される。ここで音声情報は、カラオケチャット端末装置に接続されたマイクなどから入力することができる。
【０２９１】
<具体的サービスに基づく説明>
【０２９２】
実施形態９では実施形態１で説明したサービスに加えて、以下のサービスを有する。
【０２９３】
（チャットサービス：音声情報）
【０２９４】
以下に、チャットサービス（音声情報）について説明をする。
【０２９５】
チャットサービス（音声情報）利用者は、カラオケルームのカラオケチャット端末装置に接続されたマイクなどの入力装置からチャット情報である音声情報を入力する。入力された音声情報は、チャット情報入力部の音声情報入力手段に入力される。入力された音声情報は、チャット情報入力部からチャット情報取得部に転送され、さらに第二他チャット情報出力部に転送される。さらに音声情報は、第二他チャット情報出力部からチャット相手の第一他チャット情報出力部に送信される。チャット相手の第一他チャット情報出力部に送信された音声情報は、チャット相手のカラオケチャット端末装置に接続されているスピーカに出力される。出力された音声情報を聴いて、音声情報送信者に音声情報を返信する。音声情報の返信の手順は、音声情報送信者と同様なので説明を省略する。
【０２９６】
<実施形態９の効果の簡単な説明>
【０２９７】
音声情報でチャットすることができる。
【０２９８】
<<実施形態１０>>
【０２９９】
<実施形態１０の概念>
【０３００】
実施形態１０のカラオケシステムは、チャット情報入力部は、映像情報を入力する映像情報入力手段を有する実施形態１に記載のカラオケシステムに関する。
【０３０１】
<構成要件の明示>
【０３０２】
図１０に示すのは、実施形態１０のカラオケシステム１０００の機能ブロック図である。
【０３０３】
実施形態１０のカラオケシステムは、カラオケ装置１００１と、カラオケチャット端末装置１００２と、カラオケチャットサーバ装置１００３と、からなる。
【０３０４】
カラオケ装置は、第一カラオケ歌声演奏情報出力部１００４からなる。
【０３０５】
カラオケチャット端末装置は、カラオケ歌声演奏情報入力部１００５と、第二カラオケ歌声演奏情報出力部１００６と、チャット情報入力部１００７と、第一他チャット情報出力部１００８と、からなる。さらに、チャット情報入力部は、映像情報入力手段１０１１を有する。
【０３０６】
カラオケチャットサーバ装置は、チャット情報取得部１００９と、第二他チャット情報出力部１０１０と、からなる。
【０３０７】
<構成の説明>
【０３０８】
カラオケ装置、カラオケチャットサーバ装置の構成要件については実施形態１と同様なので説明を省略する。
【０３０９】
<カラオケチャット端末装置>
【０３１０】
以下に、実施形態１０のチャット情報入力部の構成要件について説明する。
【０３１１】
（映像情報入力手段）
【０３１２】
映像情報入力手段は、映像情報を入力する。入力された映像情報は、カラオケチャットサーバ装置のチャット情報取得部に出力される。ここで映像情報は、カラオケチャット端末装置に接続されたマイクなどから入力することができる。
【０３１３】
<具体的サービスに基づく説明>
【０３１４】
実施形態１０では実施形態１で説明したサービスに加えて、以下のサービスを有する。
【０３１５】
（チャットサービス：映像情報）
【０３１６】
以下に、チャットサービス（映像情報）について説明をする。
【０３１７】
チャットサービス（映像情報）利用者は、カラオケルームのカラオケチャット端末装置に接続されたカメラなどの映像装置からチャット情報である映像情報を入力する。入力された映像情報は、チャット情報入力部の映像情報入力手段に入力される。入力された映像情報は、チャット情報入力部からチャット情報取得部に転送され、さらに第二他チャット情報出力部に転送される。さらに映像情報は、第二他チャット情報出力部からチャット相手の第一他チャット情報出力部に送信される。チャット相手の第一他チャット情報出力部に送信された映像情報は、チャット相手のカラオケチャット端末装置に接続されているディスプレイ装置に表示される。表示された映像情報を見て、映像情報送信者に映像情報を返信する。映像情報の返信の手順は、映像情報送信者と同様なので説明を省略する。
【０３１８】
なお、実施形態８で説明した、チャットサービス（文字情報）を利用することにより、映像付の文字情報によってチャットを楽しむことができる。また、実施形態９で説明した、チャットサービス（音声情報）を利用することにより、映像付の音声情報によってチャットを楽しむことができる。
【０３１９】
<実施形態１０の効果の簡単な説明>
【０３２０】
映像情報でチャットすることができる。
【０３２１】
<<実施形態１１>>
【０３２２】
<実施形態１１の概念>
【０３２３】
実施形態１１のカラオケシステムは、音声情報入力手段は、カラオケ音楽を伴奏として歌い手から発声される歌声データをカラオケマイクから取得するカラオケ歌声取得機能を有する実施形態９に記載のカラオケシステムに関する。
【０３２４】
<構成要件の明示>
【０３２５】
図１１に示すのは、実施形態１１のカラオケシステム１１００の機能ブロック図である。
【０３２６】
実施形態１１のカラオケシステムは、カラオケ装置１１０１と、カラオケチャット端末装置１１０２と、カラオケチャットサーバ装置１１０３と、からなる。
【０３２７】
カラオケ装置は、第一カラオケ歌声演奏情報出力部１１０４からなる。
【０３２８】
カラオケチャット端末装置は、カラオケ歌声演奏情報入力部１１０５と、第二カラオケ歌声演奏情報出力部１１０６と、チャット情報入力部１１０７と、第一他チャット情報出力部１１０８と、からなる。さらに、チャット情報入力部は、音声情報入力手段１１１１を有する。さらに、音声情報入力手段は、カラオケ歌声取得機能１１１２を有する。
【０３２９】
カラオケチャットサーバ装置は、チャット情報取得部１１０９と、第二他チャット情報出力部１１１０と、からなる。
【０３３０】
<構成の説明>
【０３３１】
カラオケ装置、カラオケチャットサーバ装置の構成要件については実施形態１と同様なので説明を省略する。
【０３３２】
<カラオケチャット端末装置>
【０３３３】
以下に、実施形態１１の音声情報入力手段の構成要件について説明する。
【０３３４】
（カラオケ歌声取得機能）
【０３３５】
カラオケ歌声取得機能は、カラオケ音楽を伴奏として歌い手から発声される歌声データをカラオケマイクから取得する。取得された歌声データは、カラオケチャットサーバ装置のチャット情報取得部に出力される。
【０３３６】
<具体的サービスに基づく説明>
【０３３７】
実施形態１１では実施形態９で説明したサービスに加えて、以下のサービスを有する。
【０３３８】
（チャットサービス：カラオケ歌声）
【０３３９】
以下に、チャットサービス（カラオケ歌声）について説明をする。
【０３４０】
チャットサービス（カラオケ歌声）では、カラオケ音楽を伴奏として歌い手から発声される歌声データ（以下カラオケ歌声という）がチャット情報として、チャット相手に送信される。
【０３４１】
チャットサービス（カラオケ歌声）利用者は、カラオケルームのカラオケチャット端末装置に接続されたカラオケマイクからチャット情報であるカラオケ歌声を入力する。入力されたカラオケ歌声は、チャット情報入力部のカラオケ歌声取得機能に入力される。入力されたカラオケ歌声は、チャット情報入力部からチャット情報取得部に転送され、さらに第二他チャット情報出力部に転送される。さらにカラオケ歌声は、第二他チャット情報出力部からチャット相手の第一他チャット情報出力部に送信される。チャット相手の第一他チャット情報出力部に送信されたカラオケ歌声は、チャット相手のカラオケチャット端末装置に接続されているスピーカに出力される。チャット相手は出力されたカラオケ歌声を聴くことができる。
【０３４２】
<実施形態１１の効果の簡単な説明>
【０３４３】
チャット情報で、カラオケ歌声を楽しむことができる。
【０３４４】
<<実施形態１２>>
【０３４５】
<実施形態１２の概念>
【０３４６】
実施形態１２のカラオケシステムは、カラオケチャット端末装置は、カラオケ音楽と、カラオケ歌声取得機能により取得される歌声データと、のタイミング関係を示す情報であるタイミング情報を取得するタイミング情報取得部と、演奏するカラオケ音楽を識別するためのカラオケ音楽識別情報を取得するカラオケ音楽識別情報取得部と、を有し、チャット情報入力部は、カラオケ歌声取得機能により取得した歌声データと、伴奏として演奏されたカラオケ音楽のカラオケ音楽識別情報とともにタイミング情報取得部が取得したタイミング情報をチャット情報として入力する実施形態１１に記載のカラオケシステムに関する。
【０３４７】
<構成要件の明示>
【０３４８】
図１２に示すのは、実施形態１２のカラオケシステム１２００の機能ブロック図である。
【０３４９】
実施形態１２のカラオケシステムは、カラオケ装置１２０１と、カラオケチャット端末装置１２０２と、カラオケチャットサーバ装置１２０３と、からなる。
【０３５０】
カラオケ装置は、第一カラオケ歌声演奏情報出力部１２０４からなる。
【０３５１】
カラオケチャット端末装置は、カラオケ歌声演奏情報入力部１２０５と、第二カラオケ歌声演奏情報出力部１２０６と、チャット情報入力部１２０７と、第一他チャット情報出力部１２０８と、タイミング情報取得部１２０９と、カラオケ音楽識別情報取得部１２１０と、からなる。さらに、チャット情報入力部は、音声情報入力手段１２１３を有する。さらに、音声情報入力手段は、カラオケ歌声取得機能１２１４を有する。
【０３５２】
カラオケチャットサーバ装置は、チャット情報取得部１２１１と、第二他チャット情報出力部１２１２と、からなる。
【０３５３】
<構成の説明>
【０３５４】
カラオケ装置、カラオケチャットサーバ装置の構成要件については実施形態１と同様なので説明を省略する。
【０３５５】
<カラオケチャット端末装置>
【０３５６】
以下に、実施形態１２のカラオケチャット端末装置の構成要件について説明する。
【０３５７】
（タイミング情報取得部）
【０３５８】
タイミング情報取得部は、カラオケ音楽と、カラオケ歌声取得機能により取得される歌声データと、のタイミング関係を示す情報であるタイミング情報を取得する。ここで「タイミング関係」とは、一例として、カラオケ音楽の開始時刻と歌声データの開始時刻との関係を示す情報のことをいう。
【０３５９】
（カラオケ音楽識別情報取得部）
【０３６０】
カラオケ音楽識別情報取得部は、演奏するカラオケ音楽を識別するためのカラオケ音楽識別情報を取得する。ここで「カラオケ音楽識別情報」には、登録されているカラオケ音楽をユニークに識別できる「１２３４５６７８９０」や「Ａ−９８７６５４３２１０」のような識別コードが該当する。
【０３６１】
（チャット情報入力部）
【０３６２】
チャット情報入力部は、カラオケ歌声取得機能により取得した歌声データと、伴奏として演奏されたカラオケ音楽のカラオケ音楽識別情報とともにタイミング情報取得部が取得したタイミング情報をチャット情報として入力する。
【０３６３】
<具体的サービスに基づく説明>
【０３６４】
実施形態１２では実施形態１１で説明したサービスに加えて、以下のサービスを有する。
【０３６５】
（チャットサービス：カラオケ音楽識別情報）
【０３６６】
以下に、チャットサービス（カラオケ音楽識別情報）について説明をする。
【０３６７】
チャットサービス（カラオケ音楽識別情報）では、カラオケ音楽を伴奏として歌い手から発声される歌声データと、カラオケ音楽識別情報と、タイミング情報がチャット情報として、チャット相手に送信される。
【０３６８】
チャットサービス（カラオケ音楽識別情報）利用者は、カラオケルームのカラオケチャット端末装置に接続されたカラオケマイクからカラオケ音楽を伴奏として歌を歌う。歌った歌声データはカラオケ歌声取得機能で取得される。また伴奏として演奏されたカラオケ音楽を識別するためのカラオケ音楽識別情報がカラオケ音楽識別情報取得部で取得される。さらに、歌声データとカラオケ音楽とのタイミング関係を示すタイミング情報がタイミング情報取得部で取得される。取得された歌声データとカラオケ音楽識別情報とタイミング情報は、チャット情報としてチャット情報入力部からチャット情報取得部に転送され、さらに第二他チャット情報出力部に転送される。さらにチャット情報は、第二他チャット情報出力部からチャット相手の第一他チャット情報出力部に送信される。チャット相手の第一他チャット情報出力部に送信されたチャット情報の中のカラオケ音楽識別情報により、送信された歌声データの伴奏カラオケ音楽がチャット相手のカラオケチャット端末装置にダウンロードされる。チャット情報の中の歌声データとタイミング情報と、ダウンロードされたカラオケ音楽とによってカラオケ音楽の伴奏付の歌声が、チャット相手のカラオケチャット端末装置に接続されているスピーカに出力される。チャット相手は出力されたカラオケ歌声を聴くことができる。
【０３６９】
<実施形態１２の効果の簡単な説明>
【０３７０】
チャット情報としてカラオケ音楽のカラオケ音楽識別情報を送信するので、チャット情報転送データ量を低く抑えることができる。
【０３７１】
<<実施形態１３>>
【０３７２】
<実施形態１３の概念>
【０３７３】
実施形態１３のカラオケシステムは、カラオケチャットサーバ装置は、チャット情報を利用して複数のカラオケチャット端末装置間でカラオケを競わせるために競わせるべきカラオケ音楽を識別する情報である競争カラオケ音楽識別情報を取得する競争カラオケ音楽識別情報取得部と、競争カラオケ音楽識別情報取得部で取得したカラオケ音楽識別情報で識別されるカラオケ音楽を複数のカラオケチャット端末装置に配信する競争カラオケ音楽配信部と、を有する実施形態１２に記載のカラオケシステムに関する。
【０３７４】
<構成要件の明示>
【０３７５】
図１３に示すのは、実施形態１３のカラオケシステム１３００の機能ブロック図である。
【０３７６】
実施形態１３のカラオケシステムは、カラオケ装置１３０１と、カラオケチャット端末装置１３０２と、カラオケチャットサーバ装置１３０３と、からなる。
【０３７７】
カラオケ装置は、第一カラオケ歌声演奏情報出力部１３０４からなる。
【０３７８】
カラオケチャット端末装置は、カラオケ歌声演奏情報入力部１３０５と、第二カラオケ歌声演奏情報出力部１３０６と、チャット情報入力部１３０７と、第一他チャット情報出力部１３０８と、タイミング情報取得部１３０９と、カラオケ音楽識別情報取得部１３１０と、からなる。さらに、チャット情報入力部は、音声情報入力手段１３１３を有する。さらに、音声情報入力手段は、カラオケ歌声取得機能１３１４を有する。
【０３７９】
カラオケチャットサーバ装置は、チャット情報取得部１３１１と、第二他チャット情報出力部１３１２と、競争カラオケ音楽識別情報取得部１３１５と、競争カラオケ音楽配信部１３１６と、からなる。
【０３８０】
<構成の説明>
【０３８１】
カラオケ装置、カラオケチャット端末装置の構成要件については実施形態１２と同様なので説明を省略する。
【０３８２】
<カラオケチャットサーバ装置>
【０３８３】
以下に、実施形態１３のカラオケチャットサーバ装置の構成要件について説明する。
【０３８４】
（競争カラオケ音楽識別情報取得部）
【０３８５】
競争カラオケ音楽識別情報取得部は、チャット情報を利用して複数のカラオケチャット端末装置間でカラオケを競わせるために競わせるべきカラオケ音楽（以下競争カラオケ音楽という）を識別する情報である競争カラオケ音楽識別情報を取得する。ここで「競争カラオケ音楽識別情報」には、一例として、「１２３４−５６７８」や「ＡＢＣ−０１２３４」などの識別コードが該当する。また、一例として、競争カラオケ音楽識別情報は、競争カラオケ音楽配信サービスの運営会社のサイトから取得される。
【０３８６】
（競争カラオケ音楽配信部）
【０３８７】
競争カラオケ音楽配信部は、競争カラオケ音楽識別情報取得部で取得したカラオケ音楽識別情報で識別されるカラオケ音楽を複数のカラオケチャット端末装置に配信する。ここで、一例として、競争カラオケ音楽識別情報で示される「競争カラオケ音楽」は、カラオケチャットサーバ装置内のサイトからダウンロードしてもよいし、インターネット経由で別のサイトからダウンロードしてもよい。
【０３８８】
<具体的サービスに基づく説明>
【０３８９】
実施形態１３では実施形態１で説明したサービスに加えて、以下のサービスを有する。
【０３９０】
（競争カラオケ音楽配信サービス）
【０３９１】
以下に、競争カラオケ音楽配信サービスについて説明をする。
【０３９２】
カラオケチャットサーバ装置の競争カラオケ音楽識別情報取得部は、チャット情報を利用して複数のカラオケチャット端末装置間でカラオケを競わせるために競わせるべきカラオケ音楽、例えば、競争カラオケ音楽「ふるさと」を識別する情報である競争カラオケ音楽識別情報「ＡＢＣ−０１２３４５」を取得する。競争カラオケ音楽識別情報取得部で取得された競争カラオケ音楽識別情報「ＡＢＣ−０１２３４５」は競争カラオケ音楽配信部に出力される。競争カラオケ音楽配信部は、取得した競争カラオケ音楽識別情報「ＡＢＣ−０１２３４５」に基づいて競争カラオケ音楽「ふるさと」を取得し、取得した競争カラオケ音楽「ふるさと」を複数のカラオケチャット端末装置に配信する。一例として、複数のカラオケチャット端末装置への競争カラオケ音楽「ふるさと」の配信は、チャットに参加している参加者に対して順番に、かつ先に配信した参加者がカラオケを歌い終わってから次の配信をするものとする。一例として、競争カラオケ音楽「ふるさと」の参加者への配信は、チャットに参加した順番であってもよいし、くじ引きのような方法で決めてもよい。そして複数のカラオケチャット参加者は、順番にカラオケチャット端末装置に配信されたカラオケ音楽「ふるさと」をカラオケ音楽として歌を歌う。
【０３９３】
<実施形態１３の効果の簡単な説明>
【０３９４】
チャット相手と、カラオケ音楽を競い合うことにより、楽しみが増加する。
【０３９５】
<<実施形態１４>>
【０３９６】
<実施形態１４の概念>
【０３９７】
実施形態１４のカラオケシステムは、カラオケチャット端末装置は、実施形態１２記載の歌声データを含むチャット情報である歌声チャット情報に基づいて投票をするための投票入力部と、投票入力部に入力された投票をカラオケチャットサーバ装置に出力する投票出力部と、をさらに有し、カラオケチャットサーバ装置は、投票出力部からの投票を集計する投票集計部と、投票集計部での投票結果を出力する投票結果出力部と、を有する実施形態１２または１３に記載のカラオケシステムに関する。
【０３９８】
<構成要件の明示>
【０３９９】
図１４に示すのは、実施形態１４のカラオケシステム１４００の機能ブロック図である。
【０４００】
実施形態１４のカラオケシステムは、カラオケ装置１４０１と、カラオケチャット端末装置１４０２と、カラオケチャットサーバ装置１４０３と、からなる。
【０４０１】
カラオケ装置は、第一カラオケ歌声演奏情報出力部１４０４からなる。
【０４０２】
カラオケチャット端末装置は、カラオケ歌声演奏情報入力部１４０５と、第二カラオケ歌声演奏情報出力部１４０６と、チャット情報入力部１４０７と、第一他チャット情報出力部１４０８と、タイミング情報取得部１４０９と、カラオケ音楽識別情報取得部１４１０と、投票入力部１４１７と、投票出力部１４１８と、からなる。さらに、チャット情報入力部は、音声情報入力手段１４１３を有する。さらに、音声情報入力手段は、カラオケ歌声取得機能１４１４を有する。
【０４０３】
カラオケチャットサーバ装置は、チャット情報取得部１４１１と、第二他チャット情報出力部１４１２と、競争カラオケ音楽識別情報取得部１４１５と、競争カラオケ音楽配信部１４１６と、投票集計部１４１９と、投票結果出力部１４２０と、からなる。
【０４０４】
<構成の説明>
【０４０５】
カラオケ装置の構成要件については実施形態１と同様なので説明を省略する。
【０４０６】
<カラオケチャット端末装置>
【０４０７】
以下に、実施形態１４のカラオケチャット端末装置の構成要件について説明する。
【０４０８】
（投票入力部）
【０４０９】
投票入力部は、実施形態１２記載の歌声データを含むチャット情報である歌声チャット情報に基づいて投票をする。一例として、投票はチャットに参加している参加者が歌声チャット情報を聴いて点数をつけることにより入力する。また各参加者に点数をつけるのではなく、参加者全員が歌い終わった段階で上位の者に順位をつけて投票することもできる。投票入力部に入力された投票は、投票出力部に出力される。
【０４１０】
（投票出力部）
【０４１１】
投票出力部は、投票入力部に入力された投票を取得し、カラオケチャットサーバ装置の投票集計部に出力する。
【０４１２】
<カラオケチャットサーバ装置>
【０４１３】
以下に、実施形態１４のカラオケチャットサーバ装置の構成要件について説明する。
【０４１４】
（投票集計部）
【０４１５】
投票集計部は、投票出力部からの投票を集計する。ここで「集計」には、一例として、投票出力部からの投票に基づいて各参加者の点数を集計する方法が考えられる。また、投票出力部からの投票に基づいて各参加者の順位を点数化したものを集計する方法が考えられる。
【０４１６】
（投票結果出力部）
【０４１７】
投票結果出力部は、投票集計部での投票結果を出力する。ここで投票集計部での投票結果は、一例として、カラオケチャットサーバ装置のウェブサイト上で参加者全員に公開してもよいし、参加者個々のカラオケチャット端末装置に結果を送信してもよい。
【０４１８】
<具体的サービスに基づく説明>
【０４１９】
実施形態１４では実施形態１２又は１３で説明したサービスに加えて、以下のサービスを有する。
【０４２０】
（競争カラオケ音楽投票サービス）
【０４２１】
以下に、競争カラオケ音楽投票サービスの一例について説明をする。
【０４２２】
カラオケチャットサーバ装置の競争カラオケ音楽識別情報取得部は、チャット情報を利用して複数のカラオケチャット端末装置間でカラオケを競わせるために競わせるべきカラオケ音楽、例えば、競争カラオケ音楽「桜」を識別する情報である競争カラオケ音楽識別情報「００１−０００００１」を取得する。競争カラオケ音楽識別情報取得部で取得された競争カラオケ音楽識別情報「００１−０００００１」は競争カラオケ音楽配信部に出力される。競争カラオケ音楽配信部は、取得した競争カラオケ音楽識別情報「００１−０００００１」に基づいて競争カラオケ音楽「桜」を取得し、取得した競争カラオケ音楽「桜」を複数のカラオケチャット端末装置に配信する。複数のカラオケチャット端末装置への競争カラオケ音楽「桜」の配信は、チャットに参加している参加者に対して順番に、かつ先に配信したカラオケチャット参加者がカラオケを歌い終わってから次の配信をするものとする。競争カラオケ音楽「桜」のカラオケチャット参加者への配信は、チャットに参加した順番であってもよいし、くじ引きのような方法で決めてもよい。ここで簡単のため、カラオケチャット参加者がＡ、Ｂ、Ｃ、Ｄ、Ｅの５組（人）であるものとして、カラオケチャット参加者Ａ、Ｂ、Ｃ、Ｄ、Ｅの順番に自分のカラオケチャット端末装置に配信されたカラオケ音楽「桜」をカラオケ音楽として歌を歌うものとする。まず、カラオケチャット参加者Ａのカラオケチャット端末装置Ａにカラオケ音楽「桜」が配信される。カラオケチャット参加者Ａは、そのカラオケ音楽「桜」を伴奏として、カラオケを歌う。他のカラオケチャット参加者Ｂ、Ｃ、Ｄ、Ｅはカラオケチャット参加者Ａのカラオケ歌声を聴いて、点数を投票入力部に入力する。この場合、カラオケチャット参加者Ｂ、Ｃ、Ｄ、Ｅがカラオケチャット参加者Ａに対して、それぞれ８０点、９０点、７５点、７０点と入力したとする。同様に、カラオケチャット参加者Ａ、Ｃ、Ｄ、Ｅがカラオケチャット参加者Ｂに対してそれぞれ６０点、５０点、７０点、７０点と入力したとする。同様に、カラオケチャット参加者Ａ、Ｂ、Ｄ、Ｅがカラオケチャット参加者Ｃに対してそれぞれ６５点、５５点、６０点、５０点と入力したとする。同様に、カラオケチャット参加者Ａ、Ｂ、Ｃ、Ｅがカラオケチャット参加者Ｄに対してそれぞれ８５点、９０点、８０点、８０点と入力したとする。同様に、カラオケチャット参加者Ａ、Ｂ、Ｃ、Ｄがカラオケチャット参加者Ｅに対してそれぞれ８５点、７０点、７０点、８０点と入力したとする。各カラオケチャット端末の投票入力部に入力された点数は、投票出力部に転送され、カラオケチャットサーバ装置に送信される。送信された投票は、投票集計部で集計される。集計はカラオケチャット参加者ごとに集計され、カラオケチャット参加者Ａは３１５点（８０点＋９０点＋７５点＋７０点）、カラオケチャット参加者Ｂは２５０点（６０点＋５０点＋７０点＋７０点）、カラオケチャット参加者Ｃは２３０点（６５点＋５５点＋６０点＋５０点）、カラオケチャット参加者Ｄは３３５点（８５点＋９０点＋８０点＋８０点）、カラオケチャット参加者Ｅは３０５点（８５点＋７０点＋７０点＋８０点）となる。投票の集計結果は、投票集計部から、投票結果出力部に転送される。投票結果は、投票結果出力部からウェブサイト上でカラオケチャット参加者全員に公開される。投票の結果、カラオケチャット参加者Ｄは３３５点で一番であったので、主催者から商品が送られる。
【０４２３】
<実施形態１４の効果の簡単な説明>
【０４２４】
カラオケでのチャットが単純に映像・音声チャットを提供するものに留まらず、対話を通じて歌を歌う面白さを増大するためのシステムであるので、参加者が順番で歌を歌い、視聴者らはこれを見て採点する。これが即座に収集され、順位が表示され、すべての参加者の歌が終了すると入賞者が表示される。カラオケ店舗への関心度集中を通じた売上増加効果、一般への広報・広告効果などが期待される。
【０４２５】
ともに歌を歌うのがより楽しく、面白いという点に着眼、同じ伴奏を共有し、２ヶ所以上のカラオケ店舗で歌を歌い、これを媒体に記録したり、聴取可能なようにしたりすることができる。
【０４２６】
<<実施形態１５>>
【０４２７】
<実施形態１５の概念>
【０４２８】
実施形態１５のカラオケシステムは、さらに投票結果出力部からの出力結果を受信してオーディションに利用するためのオーディション端末装置を有する実施形態１４に記載のカラオケシステムに関する。
【０４２９】
<構成要件の明示>
【０４３０】
図１５に示すのは、実施形態１５のカラオケシステム１５００の機能ブロック図である。
【０４３１】
実施形態１５のカラオケシステムは、カラオケ装置１５０１と、カラオケチャット端末装置１５０２と、カラオケチャットサーバ装置１５０３と、オーディション端末装置１５２１と、からなる。
【０４３２】
オーディション端末装置は、投票結果受信機能と、投票結果蓄積表示機能と、投票結果選択機能と、投票結果通知機能と、を有する。
【０４３３】
カラオケ装置は、第一カラオケ歌声演奏情報出力部１５０４からなる。
【０４３４】
カラオケチャット端末装置は、カラオケ歌声演奏情報入力部１５０５と、第二カラオケ歌声演奏情報出力部１５０６と、チャット情報入力部１５０７と、第一他チャット情報出力部１５０８と、タイミング情報取得部１５０９と、カラオケ音楽識別情報取得部１５１０と、投票入力部１５１７と、投票出力部１５０８と、からなる。さらに、チャット情報入力部は、音声情報入力手段１５１３を有する。さらに、音声情報入力手段は、カラオケ歌声取得機能１５１４を有する。
【０４３５】
カラオケチャットサーバ装置は、チャット情報取得部１５１１と、第二他チャット情報出力部１５１２と、競争カラオケ音楽識別情報取得部１５１５と、競争カラオケ音楽配信部１５１６と、投票集計部１５１９と、投票結果出力部１５２０と、からなる。
【０４３６】
<構成の説明>
【０４３７】
カラオケ装置、カラオケチャット端末装置、カラオケチャットサーバ装置の構成要件については実施形態１４と同様なので説明を省略する。
【０４３８】
<オーディション端末装置>
【０４３９】
以下に、実施形態１５のオーディション端末装置の構成要件について説明する。
【０４４０】
（投票結果受信機能）
【０４４１】
投票結果受信機能は、カラオケチャットサーバ装置の投票結果出力部からの投票結果を受信する。
【０４４２】
（投票結果蓄積表示機能）
【０４４３】
投票結果蓄積表示機能は、投票結果受信機能からの投票結果を蓄積し、表示する。
【０４４４】
（投票結果選択機能）
【０４４５】
投票結果選択機能は、投票結果蓄積表示機能で蓄積された投票結果の中から基準に適合した人物を選択する。
【０４４６】
（投票結果通知機能）
【０４４７】
投票結果通知機能は、投票結果選択機能で選択した人物にオーディションに合格したことを通知する。
【０４４８】
オーディション端末装置は、さらに投票結果出力部からの出力結果を受信してオーディションに利用する。ここで「利用する」とは、一例として、オーディション企画会社などが、投票結果出力部からの出力結果を受信して、その中から点数の高い上位の者に対して、デビュー候補者を選定することなどをいう。
【０４４９】
<具体的サービスに基づく説明>
【０４５０】
実施形態１５では実施形態１４で説明したサービスに加えて、以下のサービスを有する。
【０４５１】
（競争カラオケ音楽オーディションサービス）
【０４５２】
以下に、競争カラオケ音楽オーディションサービスについて説明をする。
【０４５３】
実施形態１４での投票結果をオーディション装置に送信し、オーディション運営会社がその中から気に入った人材を発掘することができる。
【０４５４】
例えば、実施形態１４の例では、カラオケチャット参加者Ａは３１５点、カラオケチャット参加者Ｂは２５０点、カラオケチャット参加者Ｃは２３０点、カラオケチャット参加者Ｄは３３５点、カラオケチャット参加者Ｅは３０５点の投票結果であった。この投票結果は、投票結果出力部から、オーディション装置に送信される。オーディション企画会社はその中から一番点数の高かったカラオケチャット参加者Ｄを選び、さらにオーディションを行うことにより、最終的に必要な人材を発掘することが可能となる。
【０４５５】
<実施形態１５の効果の簡単な説明>
【０４５６】
審査員と審査対象者がお互いに顔を突き合わせずとも画像通信を通じてリアルタイムで採用審査することができるので、経費節減及び利便性向上を図ることができる。
【０４５７】
採用審査用ビデオをカラオケ店舗などで容易に製作でき、専用のスタジオを利用せずとも簡単に採用審査用ビデオの製作が可能になる。また、これを審査用サーバにアップロードし、審査員らが審査する間に一般のインターネットユーザらもこれを視聴し、自分が考える評価を投票し、審査に反映することができるので、経費節減のみならず、一般への広報的な効果、採用審査の公平性までともに得ることができる。
【０４５８】
審査員と審査対象者がお互いに顔を突き合わせずとも画像通信を通じてリアルタイムで採用審査することができるので、経費節減及び利便性向上を図ることができる。
【０４５９】
採用審査用ビデオをカラオケ店舗などで容易に製作でき、専用のスタジオを利用せずとも簡単に採用審査用ビデオの製作が可能になる。また、これを審査用サーバにアップロードし、審査員らが審査する間に一般のインターネットユーザらもこれを視聴し、自分が考える評価を投票し、審査に反映することができるので、経費節減のみならず、一般への広報的な効果、採用審査の公平性までともに得ることができる。
【０４６０】
<<実施形態１６>>
【０４６１】
<実施形態１６の概念>
【０４６２】
以下に、実施形態１６のカラオケシステムの概念を説明する。
【０４６３】
実施形態１６のカラオケシステムは、第二他チャット情報出力部は、チャット情報取得部で取得したチャット情報を翻訳する翻訳手段をさらに有し、翻訳手段にて翻訳されたチャット情報である翻訳済チャット情報を、他チャット情報として出力する実施形態１に記載のカラオケシステムに関する。
【０４６４】
<構成要件の明示>
【０４６５】
図１６に示すのは、実施形態１６のカラオケシステム１６００の機能ブロック図である。
【０４６６】
実施形態１６のカラオケシステムは、カラオケ装置１６０１と、カラオケチャット端末装置１６０２と、カラオケチャットサーバ装置１６０３と、からなる。
【０４６７】
カラオケ装置は、第一カラオケ歌声演奏情報出力部１６０４からなる。
【０４６８】
カラオケチャット端末装置は、カラオケ歌声演奏情報入力部１６０５と、第二カラオケ歌声演奏情報出力部１６０６と、チャット情報入力部１６０７と、第一他チャット情報出力部１６０８と、からなる。
【０４６９】
カラオケチャットサーバ装置は、チャット情報取得部１６０９と、第二他チャット情報出力部１６１０と、からなる。第二他チャット情報出力部は、さらに翻訳手段１６１１を有する。
【０４７０】
<構成の説明>
【０４７１】
（翻訳手段）
【０４７２】
翻訳手段は、チャット情報取得部で取得したチャット情報を翻訳する。ここで「翻訳」とは、日本語から韓国語・中国語・英語・フランス語・ドイツ語・イタリア語・スペイン語・ロシア語などへの翻訳、あるいはその逆の翻訳のことをいう。また、「翻訳」は、文字情報だけでなく音声情報の翻訳も可能である。
【０４７３】
（第二他チャット情報出力部）
【０４７４】
第二他チャット情報出力部は、チャット情報取得部で取得したチャット情報を翻訳する翻訳手段をさらに有し、翻訳手段にて翻訳されたチャット情報である翻訳済チャット情報を、他チャット情報として出力する。出力された他チャット情報はカラオケチャット端末の第一他チャット情報出力部に送信される。
【０４７５】
カラオケチャットサーバ装置の第二他チャット情報出力部は、さらに翻訳手段を有すること以外は実施形態１と同様なので説明を省略する。
【０４７６】
<実施形態１６の効果の簡単な説明>
【０４７７】
翻訳手段を利用することにより、日本国内だけでなく、世界中の人々とチャットすることが可能となる。
【０４７８】
<<実施形態１７>>
【０４７９】
<実施形態１７の概念>
【０４８０】
以下に、実施形態１７のカラオケシステムの概念を説明する。
【０４８１】
実施形態１７のカラオケシステムは、翻訳手段は、チャット情報を翻訳する言語を選択する翻訳言語選択器をさらに有する実施形態１６に記載のカラオケシステムに関する。
【０４８２】
<構成要件の明示>
【０４８３】
図１７に示すのは、実施形態１７のカラオケシステム１７００の機能ブロック図である。
【０４８４】
実施形態１７のカラオケシステムは、カラオケ装置１７０１と、カラオケチャット端末装置１７０２と、カラオケチャットサーバ装置１７０３と、からなる。
【０４８５】
カラオケ装置は、第一カラオケ歌声演奏情報出力部１７０４からなる。
【０４８６】
カラオケチャット端末装置は、カラオケ歌声演奏情報入力部１７０５と、第二カラオケ歌声演奏情報出力部１７０６と、チャット情報入力部１７０７と、第一他チャット情報出力部１７０８と、からなる。
【０４８７】
カラオケチャットサーバ装置は、チャット情報取得部１７０９と、第二他チャット情報出力部１７１０と、からなる。第二他チャット情報出力部は、さらに翻訳手段１７１１を有する。翻訳手段は、さらに翻訳言語選択器１７１２を有する。
【０４８８】
<構成の説明>
【０４８９】
（翻訳言語選択器）
【０４９０】
翻訳言語選択器は、チャット情報を翻訳する言語を選択する。ここで「言語」には、韓国語・中国語・英語・フランス語・ドイツ語・イタリア語・スペイン語・ロシア語・日本語などが該当する。
【０４９１】
一例として、日本語のチャット利用者が、韓国語のチャット利用者とチャットする場合を考える。日本語のチャット利用者がチャット開始前にチャット情報「こちらは日本語」と日本語でカラオケチャット端末のチャット情報入力部に入力したとする。チャット情報「こちらは日本語」はカラオケチャットサーバのチャット情報取得部で取得され、さらに第二他チャット情報出力部の翻訳手段に入力される。翻訳手段ではチャット情報「こちらは日本語」を解析して、チャット情報「こちらは日本語」は日本語であると認識する。同様に、韓国語のチャット利用者はチャット開始前にチャット情報「こちらは韓国語」を韓国語で送信すると、翻訳手段は、チャット情報「こちらは韓国語」は韓国語であると認識する。すると、翻訳言語選択器は翻訳言語を日本語と韓国語として選択し、日本語のチャット利用者が、韓国語のチャット利用者へチャット送信するときは、日本語から韓国語への翻訳を行い、逆の場合には、韓国語から日本語への翻訳を行う。
【０４９２】
<実施形態１７の効果の簡単な説明>
【０４９３】
翻訳手段を利用することにより、日本国内だけでなく、世界中の人々とチャットすることが可能となる。また、翻訳言語選択器により、チャット情報を翻訳する言語の選択が容易になる。
【０４９４】
<<実施形態１８>>
【０４９５】
<実施形態１８の概念>
【０４９６】
以下に、実施形態１８のカラオケシステムの概念を説明する。
【０４９７】
実施形態１８のカラオケシステムは、チャット情報取得部が取得するチャット情報は、そのチャット情報送信元の国識別情報を含み、翻訳言語選択器は、チャット情報取得部が取得したチャット情報の前記国識別情報に基づいて前記言語の選択をする実施形態１７に記載のカラオケシステムに関する。
【０４９８】
<構成要件の明示>
【０４９９】
図１８に示すのは、実施形態１８のカラオケシステム１８００の機能ブロック図である。
【０５００】
実施形態１８のカラオケシステムは、カラオケ装置１８０１と、カラオケチャット端末装置１８０２と、カラオケチャットサーバ装置１８０３と、からなる。
【０５０１】
カラオケ装置は、第一カラオケ歌声演奏情報出力部１８０４からなる。
【０５０２】
カラオケチャット端末装置は、カラオケ歌声演奏情報入力部１８０５と、第二カラオケ歌声演奏情報出力部１８０６と、チャット情報入力部１８０７と、第一他チャット情報出力部１８０８と、からなる。
【０５０３】
カラオケチャットサーバ装置は、チャット情報取得部１８０９と、第二他チャット情報出力部１８１０と、からなる。チャット情報取得部は、国識別情報１８１３を有する。また、第二他チャット情報出力部は、さらに翻訳手段１８１１を有する。翻訳手段は、さらに翻訳言語選択器１８１２を有する。
【０５０４】
<構成の説明>
【０５０５】
（国識別情報）
【０５０６】
チャット情報取得部が取得するチャット情報は、そのチャット情報送信元の国識別情報を含む。ここで「国識別情報」とは、「００１：日本」、「００２：韓国」、「００３：米国」、「００４：英国」、「００５：フランス」、「００６：ドイツ」、「００７：スペイン」、「００８：ロシア」などの国ごとにユニークに割り当てられた識別コードのことをいう。
【０５０７】
（翻訳言語選択器）
【０５０８】
翻訳言語選択器は、チャット情報取得部が取得したチャット情報の国識別情報に基づいて言語の選択をする。
【０５０９】
一例として、日本のチャット利用者が、韓国のチャット利用者とチャットする場合を考える。日本のチャット利用者がチャット開始前に「国識別情報」として「００１」をカラオケチャット端末のチャット情報入力部に入力したとする。国識別情報「００１」はカラオケチャットサーバのチャット情報取得部で取得され、さらに第二他チャット情報出力部の翻訳手段に入力される。翻訳手段では国識別情報「００１」を解析して、国識別情報「００１」は日本であると認識する。同様に、韓国のチャット利用者はチャット開始前に国識別情報「００２」を送信すると、翻訳手段は、国識別情報「００２」は韓国であると認識する。すると、翻訳言語選択器は翻訳言語を日本語と韓国語として選択し、日本のチャット利用者が、韓国のチャット利用者へチャット送信するときは、日本語から韓国語への翻訳を行い、逆の場合には、韓国語から日本語への翻訳を行う。
【０５１０】
<実施形態１８の効果の簡単な説明>
【０５１１】
翻訳手段を利用することにより、日本国内だけでなく、世界中の人々とチャットすることが可能となる。また、翻訳言語選択器が国識別情報に基づいて、チャット情報を翻訳する言語を選択してくれるので、翻訳するまでの手間が大幅に省くことができる。
【０５１２】
<<実施形態１９>>
【０５１３】
<実施形態１９の概念>
【０５１４】
以下に、実施形態１９のカラオケシステムの概念を説明する。
【０５１５】
実施形態１９のカラオケシステムは、チャット情報入力部は、携帯電話のテンキーからのリモート入力を受付ける携帯電話入力手段を有する実施形態１から１８の何れか一に記載のカラオケシステムに関する。
【０５１６】
<構成要件の明示>
【０５１７】
図１９に示すのは、実施形態１９のカラオケシステム１９００の機能ブロック図である。
【０５１８】
実施形態１９のカラオケシステムは、カラオケ装置１９０１と、カラオケチャット端末装置１９０２と、カラオケチャットサーバ装置１９０３と、からなる。
【０５１９】
カラオケ装置は、第一カラオケ歌声演奏情報出力部１９０４からなる。
【０５２０】
カラオケチャット端末装置は、カラオケ歌声演奏情報入力部１９０５と、第二カラオケ歌声演奏情報出力部１９０６と、チャット情報入力部１９０７と、第一他チャット情報出力部１９０８と、からなる。チャット情報入力部は、携帯電話入力手段１９１１を有する。
【０５２１】
カラオケチャットサーバ装置は、チャット情報取得部１９０９と、第二他チャット情報出力部１９１０と、からなる。
【０５２２】
<構成の説明>
【０５２３】
（携帯電話入力手段）
【０５２４】
携帯電話入力手段は、携帯電話のテンキーからのリモート入力を受付ける。
【０５２５】
一例として、携帯電話のサービスの中から「カラオケチャットサービス」を選択する。次のメニューの中から「テンキー入力をリモート入力する」を選択する。すると、携帯電話のテンキーからのリモート入力が有効となり、携帯電話のテンキーからのリモート入力によるチャットを行うことが可能となる。なお、携帯電話とカラオケチャット端末装置との通信は、一例として、携帯電話の電波だけに限定されず、Ｂｌｕｅｔｏｏｔｈや赤外線通信によっても行うことができる。
【０５２６】
カラオケチャット端末装置のチャット情報入力部は、携帯電話のテンキーからのリモート入力を受付ける携帯電話入力手段を有すること以外は実施形態１から１８の何れか一と同様なので説明を省略する。
【０５２７】
<実施形態１９の効果の簡単な説明>
【０５２８】
携帯電話入力手段が、携帯電話のテンキーからのリモート入力を受付けるので、手軽にカラオケチャット端末装置の操作ができる。
【０５２９】
<<実施形態２０>>
【０５３０】
<実施形態２０の概念>
【０５３１】
以下に、実施形態２０のカラオケシステムの概念を説明する。
【０５３２】
実施形態２０のカラオケシステムは、チャット情報入力部は、カラオケ装置のリモコンのボタンを利用した入力を受付けるカラオケリモコン入力手段を有する実施形態１から１８の何れか一に記載のカラオケシステムに関する。
【０５３３】
<構成要件の明示>
【０５３４】
図２０に示すのは、実施形態２０のカラオケシステム２０００の機能ブロック図である。
【０５３５】
実施形態２０のカラオケシステムは、カラオケ装置２００１と、カラオケチャット端末装置２００２と、カラオケチャットサーバ装置２００３と、からなる。
【０５３６】
カラオケ装置は、第一カラオケ歌声演奏情報出力部２００４からなる。
【０５３７】
カラオケチャット端末装置は、カラオケ歌声演奏情報入力部２００５と、第二カラオケ歌声演奏情報出力部２００６と、チャット情報入力部２００７と、第一他チャット情報出力部２００８と、からなる。チャット情報入力部は、携帯電話入力手段２０１１を有する。
【０５３８】
カラオケチャットサーバ装置は、チャット情報取得部２００９と、第二他チャット情報出力部２０１０と、からなる。
【０５３９】
<構成の説明>
【０５４０】
（カラオケリモコン入力手段）
【０５４１】
カラオケリモコン入力手段は、カラオケ装置のリモコンのボタンを利用した入力を受付ける。
【０５４２】
一例として、カラオケ装置のリモコンのボタンの中から「カラオケチャットサービス」を選択する。すると、カラオケ装置のリモコンのボタンが有効となり、カラオケ装置のリモコンのボタンからチャットを行うことが可能となる。
【０５４３】
カラオケチャット端末装置のチャット情報入力部は、カラオケ装置のリモコンのボタンを利用した入力を受付けるカラオケリモコン入力手段を有すること以外は実施形態１から１８の何れか一と同様なので説明を省略する。
【０５４４】
<実施形態２０の効果の簡単な説明>
【０５４５】
カラオケリモコン入力手段が、カラオケ装置のリモコンのボタンを利用した入力を受付けるので、手軽にカラオケチャット端末装置の操作ができる。
【産業上の利用可能性】
【０５４６】
本件発明のカラオケシステムは、既存のカラオケシステムに対する付加サービスとして、チャット、ビデオチャット、カラオケオーディション、ＣＤ&フォトサービスなどのサービスに利用することができる。
【図面の簡単な説明】
【０５４７】
【図１】実施形態１の機能ブロック図
【図２】実施形態２の機能ブロック図
【図３】実施形態３の機能ブロック図
【図４】実施形態４の機能ブロック図
【図５】実施形態５の機能ブロック図
【図６】実施形態６の機能ブロック図
【図７】実施形態７の機能ブロック図
【図８】実施形態８の機能ブロック図
【図９】実施形態９の機能ブロック図
【図１０】実施形態１０の機能ブロック図
【図１１】実施形態１１の機能ブロック図
【図１２】実施形態１２の機能ブロック図
【図１３】実施形態１３の機能ブロック図
【図１４】実施形態１４の機能ブロック図
【図１５】実施形態１５の機能ブロック図
【図１６】実施形態１６の機能ブロック図
【図１７】実施形態１７の機能ブロック図
【図１８】実施形態１８の機能ブロック図
【図１９】実施形態１９の機能ブロック図
【図２０】実施形態２０の機能ブロック図
【図２１】実施形態１のカラオケシステムの概念を示すシステム構成図
【図２２】実施形態１のカラオケ店舗の概念を示す構成図
【図２３】実施形態１のカラオケルームの概念を示す構成図
【図２４】実施形態１のカラオケ歌声演奏情報に関する処理の流れを示す図
【図２５】実施形態１のチャット情報に関する処理の流れを示す図
【図２６】実施形態２のカラオケルームの概念を示す構成図
【図２７】実施形態２のビデオチャットを示す図
【図２８】実施形態２のウェブカム放送を示す図
【図２９】実施形態２のＣＤサービスの申し込み画面を示す図
【図３０】実施形態２のフォトサービスの申し込み画面を示す図
【図３１】実施形態２のカラオケオーディションサイトへの登録画面を示す図
【図３２】実施形態２のカラオケオーディションサイトの画面を示す図
【図３３】実施形態２のカラオケオーディションサイト登録者の画面を示す図
【符号の説明】
【０５４８】
０１００  カラオケシステム
０１０１  カラオケ装置
０１０２  カラオケチャット端末装置
０１０３  カラオケチャットサーバ装置
０１０４  第一カラオケ歌声演奏情報出力部
０１０５  カラオケ歌声演奏情報入力部
０１０６  第二カラオケ歌声演奏情報出力部
０１０７  チャット情報入力部
０１０８  第一他チャット情報出力部
０１０９  チャット情報取得部
０１１０  第二他チャット情報出力部
【図１】
2005077752.tif 000003
【図２】
2005077752.tif 000004
【図３】
2005077752.tif 000005
【図４】
2005077752.tif 000006
【図５】
2005077752.tif 000007
【図６】
2005077752.tif 000008
【図７】
2005077752.tif 000009
【図８】
2005077752.tif 000010
【図９】
2005077752.tif 000011
【図１０】
2005077752.tif 000012
【図１１】
2005077752.tif 000013
【図１２】
2005077752.tif 000014
【図１３】
2005077752.tif 000015
【図１４】
2005077752.tif 000016
【図１５】
2005077752.tif 000017
【図１６】
2005077752.tif 000018
【図１７】
2005077752.tif 000019
【図１８】
2005077752.tif 000020
【図１９】
2005077752.tif 000021
【図２０】
2005077752.tif 000022
【図２１】
2005077752.tif 000023
【図２２】
2005077752.tif 000024
【図２３】
2005077752.tif 000025
【図２４】
2005077752.tif 000026
【図２５】
2005077752.tif 000027
【図２６】
2005077752.tif 000028
【図２７】
2005077752.tif 000029
【図２８】
2005077752.tif 000030
【図２９】
2005077752.tif 000031
【図３０】
2005077752.tif 000032
【図３１】
2005077752.tif 000033
【図３２】
2005077752.tif 000034
【図３３】
2005077752.tif 000035